(57)【要約】  ワイヤレス通信のための方法、装置、およびコンピュータプログラム製品が提供される。装置は第１の性能のセットを第１のセルに送信する。第１の性能のセットは第１のセルと通信するためのものである。装置は、第２の性能のセットと関連付けられた情報を第１のセルに送信する。第２の性能のセットは、第２のセルと通信するためのものである。装置は、第１のセルから第２のセルに移動する。装置は、送信された情報に基づいて第２のセルと通信する。
2014534745.tif 000002
【特許請求の範囲】
【請求項１】
ワイヤレス通信の方法であって、
第１の性能のセットを第１のセルに送信することであって、前記第１の性能のセットが前記第１のセルと通信するためのものであること、
第２の性能のセットと関連した情報を前記第１のセルに送信することであって、前記第２の性能のセットが前記第２のセルと通信するためのものであること、
前記第１のセルから前記第２のセルに移動すること、および
前記送信された情報に基づいて前記第２のセルと通信すること
を含む方法。
【請求項２】
前記第１の性能のセットに関する照会を前記第１のセルから受信することであって、前記第１の性能のセットおよび前記第２の性能のセットと関連付けられた前記情報が、前記受信された照会に応答して同時に送信されることをさらに含む、請求項１に記載の方法。
【請求項３】
前記情報に関する照会を前記第１のセルから受信することであって、前記情報が前記受信された照会に応答して送信されることをさらに含む、請求項１に記載の方法。
【請求項４】
前記情報が、前記第２の性能のセットのうちの少なくとも１つのサブセットが前記第１の性能のセットのうちの少なくとも１つのサブセットと同じであるかどうかを示す少なくとも１ビットを含む、請求項１に記載の方法。
【請求項５】
前記少なくとも１ビットが、前記送信された第１の性能のセット内の性能に送信される、請求項４に記載の方法。
【請求項６】
前記情報が前記第２の性能のセットを含む、請求項１に記載の方法。
【請求項７】
前記第１の性能のセットが周波数分割多重（ＦＤＤ）通信と関連付けられた性能を含み、前記第２の性能のセットが時間分割多重（ＴＤＤ）通信と関連付けられた性能を含む、請求項１に記載の方法。
【請求項８】
前記第１の性能のセットが時間分割多重（ＴＤＤ）通信と関連付けられた性能を含み、前記第２の性能のセットが周波数分割多重（ＦＤＤ）通信と関連付けられた性能を含む、請求項１に記載の方法。
【請求項９】
前記第１のセルおよび前記第２のセルが同じ進化型ノードＢ（ｅＮＢ）に属している、請求項１に記載の方法。
【請求項１０】
前記第１のセルが第１の進化型ノードＢ（ｅＮＢ）に属し、前記第２のセルが前記第１のｅＮＢとは異なる第２のｅＮＢに属している、請求項１に記載の方法。
【請求項１１】
前記第１のｅＮＢおよび前記第２のｅＮＢが同じネットワークに属している、請求項１０に記載の方法。
【請求項１２】
前記第１のｅＮＢおよび前記第２のｅＮＢが異なるネットワークに属している、請求項１０に記載の方法。
【請求項１３】
ソースセルのワイヤレス通信の方法であって、
ユーザ機器（ＵＥ）が前記ソースセルからターゲットセルへハンドオーバされることを決定すること、
前記ターゲットセルと通信するために前記ＵＥによって使用される性能のセットに関して照会を前記ＵＥに送信すること、
前記性能のセットを前記ＵＥから受信すること、および
前記性能のセットを前記ターゲットセルに提供すること
を含む方法。
【請求項１４】
前記照会は、前記性能のセットが前記ターゲットセルと通信するためのものであることを示す、請求項１３に記載の方法。
【請求項１５】
ターゲットセルのワイヤレス通信の方法であって、
ソースセルから前記ターゲットセルへのユーザ機器（ＵＥ）のハンドオーバのためにネットワークエンティティからハンドオーバ要求を受信することであって、前記ハンドオーバ要求は、前記ソースセルと関連付けられた第１の性能のセットを含むこと、
前記第１の性能のセットが前記ターゲットセルと関連付けられた第２の性能のセットと異なる場合にハンドオーバ要求肯定応答を構築するための性能のセットを決定することであって、前記性能のセットが前記第２の性能のセットのうちのサブセットであること、
前記性能のセットに基づいて前記ハンドオーバ要求肯定応答を構築すること、および
前記ハンドオーバ要求肯定応答を前記ネットワークエンティティに送信すること
を含む方法。
【請求項１６】
前記ＵＥの前記ターゲットセルへのハンドオーバのときに前記第２の性能のセットに関して前記ＵＥに性能照会を送信すること、および
前記第２の性能のセットを前記ＵＥから受信すること
をさらに含む、請求項１５に記載の方法。
【請求項１７】
前記ハンドオーバ要求が、前記ターゲットセルと関連付けられた第２の性能のセットのうちの少なくとも１つのサブセットが前記第１の性能のセットのうちの少なくとも１つのサブセットと同じであるかどうかの表示を含み、前記表示に基づいて前記性能のセットが決定される、請求項１５に記載の方法。
【請求項１８】
ターゲットセルが、前記第２の性能のセットのうちの前記少なくとも１つのサブセットが前記第１の性能のセットのうちの前記少なくとも１つのサブセットと異なること、または前記第２の性能のセットのうちの前記少なくとも１つのサブセットが前記第１の性能のセットのうちの前記少なくとも１つのサブセットと同じであり、前記第２の性能のセットのうちの前記少なくとも１つのサブセットが前記第２の性能のセットのうちのすべてを含まないことを前記表示が示す場合、前記第２の性能のセットに関して前記ＵＥに性能照会を送信すること、および
前記第２の性能のセットを前記ＵＥから受信すること
をさらに含む、請求項１７に記載の方法。
【請求項１９】
ユーザ機器（ＵＥ）のワイヤレス通信の方法であって、
セルと接続した状態にある間トラッキングエリア更新（ＴＡＵ）要求をネットワークエンティティに送信することであって、前記ＴＡＵ要求が前記セルと前記通信するための前記性能が更新される必要があることを示すこと、
ＴＡＵ受容メッセージを前記ネットワークエンティティから受信すること、および
前記ネットワークエンティティと関連付けられた基地局から無線リソース制御（ＲＲＣ）接続解放メッセージを受信すると、アイドル状態に移行すること
を含む方法。
【請求項２０】
前記ＵＥが前記ＲＲＣ接続解放メッセージを受信するとすぐに、前記接続された状態から前記アイドル状態に移行する、請求項１９に記載の方法。
【請求項２１】
ネットワークエンティティのワイヤレス通信の方法であって、
ユーザ機器（ＵＥ）がセルと接続した状態にある間トラッキングエリア更新（ＴＡＵ）要求を前記ＵＥから受信することであって、前記ＴＡＵ要求が前記セルと前記通信するための前記性能が更新される必要があることを示すこと、
ＴＡＵ受容メッセージを前記ＵＥに送信すること、および
前記ＴＡＵ受容メッセージを送信すると、および前記ＴＡＵ要求に応答して、前記ＵＥに対する前記接続を解放するためにＵＥコンテキスト解放メッセージのうちの１つを前記セルを制御する基地局に送信し、または前記性能が更新される必要があることを示すメッセージを前記セルを制御する前記基地局に送信すること
を含む方法。
【請求項２２】
前記ＵＥが音声通話中でなくなるまで前記ＲＲＣ接続解放メッセージの前記送信を遅らせることをさらに含む、請求項２１に記載の方法。
【請求項２３】
ユーザ機器（ＵＥ）のワイヤレス通信の方法であって、
第１のセルから第２のセルに移動することであって、前記ＵＥが前記第１のセルと通信するための第１の性能のセット、および前記第２のセルと通信するための第２の性能のセットを有すること、
前記第１の性能のセットと前記第２の性能のセットが異なるかどうか、および前記第１のセルまたは前記第２のセルが前記第２の性能のセットに関して問い合わせたかどうかを判定すること、および
前記第１の性能のセットと前記第２の性能のセットが異なること、および前記第１のセルおよび前記第２のセルが前記第２の性能のセットに関して問い合わせなかったことを判定すると、前記第２のセルに前記第２の性能のセットに関して問い合わせをさせるために前記第２のセルと関連付けられたネットワークに再アタッチすること
を含む方法。
【請求項２４】
ワイヤレス通信のための装置であって、
第１のセルに第１の性能のセットを送信するための手段であって、前記第１の性能のセットが前記第１のセルと通信するためのものである手段、
第２の性能のセットと関連した情報を前記第１のセルに送信するための手段であって、前記第２の性能のセットが第２のセルと通信するためのものである手段、
前記第１のセルから前記第２のセルに移動するための手段、および
前記送信された情報に基づいて前記第２のセルと通信するための手段
を備える装置。
【請求項２５】
前記第１の性能のセットに関する照会を前記第１のセルから受信するための手段であって、前記第１の性能のセットおよび前記第２の性能のセットと関連付けられた前記情報が、前記受信された照会に応答して同時に送信される手段をさらに備える、請求項２４に記載の装置。
【請求項２６】
前記情報に関する照会を前記第１のセルから受信するための手段であって、前記情報が前記受信された照会に応答して送信される手段をさらに備える、請求項２４に記載の装置。
【請求項２７】
前記情報が、前記第２の性能のセットのうちの少なくとも１つのサブセットが前記第１の性能のセットのうちの少なくとも１つのサブセットと同じであるかどうかを示す少なくとも１ビットを含む、請求項２４に記載の装置。
【請求項２８】
前記少なくとも１ビットが、前記送信された第１の性能のセット内の性能に送信される、請求項２７に記載の装置。
【請求項２９】
前記情報が前記第２の性能のセットを含む、請求項２４に記載の装置。
【請求項３０】
前記第１の性能のセットが周波数分割多重（ＦＤＤ）通信と関連付けられた性能を含み、前記第２の性能のセットが時間分割多重（ＴＤＤ）通信と関連付けられた性能を含む、請求項２４に記載の装置。
【請求項３１】
前記第１の性能のセットが時間分割多重（ＴＤＤ）通信と関連付けられた性能を含み、前記第２の性能のセットが周波数分割多重（ＦＤＤ）通信と関連付けられた性能を含む、請求項２４に記載の装置。
【請求項３２】
前記第１のセルおよび前記第２のセルが同じ進化型ノードＢ（ｅＮＢ）に属している、請求項２４に記載の装置。
【請求項３３】
前記第１のセルが第１の進化型ノードＢ（ｅＮＢ）に属し、前記第２のセルが前記第１のｅＮＢとは異なる第２のｅＮＢに属している、請求項２４に記載の装置。
【請求項３４】
前記第１のｅＮＢおよび前記第２のｅＮＢが同じネットワークに属している、請求項３３に記載の装置。
【請求項３５】
前記第１のｅＮＢおよび前記第２のｅＮＢが異なるネットワークに属している、請求項３３に記載の装置。
【請求項３６】
ワイヤレス通信のためのソースセルであって、
ユーザ機器（ＵＥ）が前記ソースセルからターゲットセルへハンドオーバされることを決定するための手段、
前記ターゲットセルと通信するために前記ＵＥによって使用される１性能のセットに関して前記ＵＥに照会を送信するための手段、
前記性能のセットを前記ＵＥから受信するための手段、および
前記性能のセットを前記ターゲットセルに提供するための手段
を備えるソースセル。
【請求項３７】
前記照会は、前記性能のセットが前記ターゲットセルと通信するためのものであることを示す、請求億３６に記載のソースセル。
【請求項３８】
ワイヤレス通信のためのターゲットセルであって、
ソースセルから前記ターゲットセルへのユーザ機器（ＵＥ）のハンドオーバのためにネットワークエンティティからハンドオーバ要求を受信するための手段であって、前記ハンドオーバ要求は、前記ソースセルと関連付けられた第１の性能のセットを含む手段、
前記第１の性能のセットが前記ターゲットセルと関連付けられた第２の性能のセットと異なる場合にハンドオーバ要求肯定応答を構築するための性能のセットを決定するための手段であって、前記性能のセットが前記第２の性能のセットのうちのサブセットである手段、
前記性能のセットに基づいて前記ハンドオーバ要求肯定応答を構築するための手段、および
前記ハンドオーバ要求肯定応答を前記ネットワークエンティティに送信するための手段
を備えるターゲットセル。
【請求項３９】
前記ＵＥの前記ターゲットセルへのハンドオーバのときに前記第２の性能のセットに関して前記ＵＥに性能照会を送信するための手段、および
前記第２の性能のセットを前記ＵＥから受信するための手段、
をさらに備える、請求項３８に記載のターゲットセル。
【請求項４０】
前記ハンドオーバ要求が、前記ターゲットセルと関連付けられた第２の性能のセットのうちの少なくとも１つのサブセットが、前記第１の性能のセットのうちの少なくとも１つのサブセットと同じであるかどうかの表示を含み、前記表示に基づいて前記性能のセットが決定される、請求項３８に記載のターゲットセル。
【請求項４１】
ターゲットセルは、前記第２の性能のセットのうちの前記少なくとも１つのサブセットが前記第１の性能のセットのうちの前記少なくとも１つのサブセットと異なること、または前記第２の性能のセットのうちの前記少なくとも１つのサブセットが前記第１の性能のセットのうちの前記少なくとも１つのサブセットと同じであり、前記第２の性能のセットのうちの前記少なくとも１つのサブセットが前記第２の性能のセットのうちのすべてを含まないことを前記表示が示す場合、前記第２の性能のセットに関して前記ＵＥに性能照会を送信するための手段、および
前記第２の性能のセットを前記ＵＥから受信するための手段、
をさらに備える、請求項４０に記載のターゲットセル。
【請求項４２】
ワイヤレス通信のためのユーザ機器（ＵＥ）であって、
セルと接続した状態にある間トラッキングエリア更新（ＴＡＵ）要求をネットワークエンティティに送信するための手段であって、前記ＴＡＵ要求が前記セルと前記通信するための前記性能が更新される必要があることを示す手段、
ＴＡＵ受容メッセージを前記ネットワークエンティティから受信するための手段、および
前記ネットワークエンティティと関連付けられた基地局から無線リソース制御（ＲＲＣ）接続解放メッセージを受信すると、アイドル状態に移行するための手段
を備えるユーザ機器。
【請求項４３】
前記ＵＥが、前記ＲＲＣ接続解放メッセージを受信するとすぐに、前記接続された状態から前記アイドル状態に移行する、請求項４２に記載のＵＥ。
【請求項４４】
ワイヤレス通信のためのネットワークエンティティであって、
ユーザ機器（ＵＥ）がセルと接続した状態にある間トラッキングエリア更新（ＴＡＵ）要求を前記ＵＥから受信するための手段であって、前記ＴＡＵ要求が前記セルと前記通信するための前記性能が更新される必要があることを示す手段、
ＴＡＵ受容メッセージを前記ＵＥに送信するための手段、および
前記ＴＡＵ受容メッセージを送信すると、また前記ＴＡＵ要求に応答して、前記ＵＥに対する前記接続を解放するためにＵＥコンテキスト解放メッセージのうちの１つを前記セルを制御する基地局に送信し、または前記性能が更新される必要があることを示すメッセージを前記セルを制御する前記基地局に送信するための手段、
を備えるネットワークエンティティ。
【請求項４５】
前記ＵＥが音声通話中でなくなるまで前記ＲＲＣ接続解放メッセージの前記送信を遅らせるための手段をさらに含む、請求項４４に記載のネットワークエンティティ。
【請求項４６】
ワイヤレス通信のためのユーザ機器（ＵＥ）であって、
第１のセルから第２のセルに移動するための手段であって、前記ＵＥが前記第１のセルと通信するための第１の性能のセット、および前記第２のセルと通信するための第２の性能のセットを有する手段、
前記第１の性能のセットと前記第２の性能のセットが異なるかどうか、および前記第１のセルまたは前記第２のセルが前記第２の性能のセットに関して問い合わせたかどうかを判定するための手段、および
前記第１の性能のセットと前記第２の性能のセットが異なること、および前記第１のセルおよび前記第２のセルが前記第２の性能のセットに関して問い合わせなかったことを判定すると、前記第２のセルに前記第２の性能のセットに関して問い合わせをさせるために前記第２のセルと関連付けられたネットワークに再アタッチするための手段、
を備えるユーザ機器。
【請求項４７】
ワイヤレス通信のための装置であって、
第１のセルに第１の性能のセットを送信することであって、前記第１の性能のセットが前記第１のセルと通信するためのものであること、
第２の性能のセットと関連した情報を前記第１のセルに送信することであって、前記第２の性能のセットが第２のセルと通信するためのものであること、
前記第１のセルから前記第２のセルに移動すること、および
前記送信された情報に基づいて前記第２のセルと通信すること
を行うように構成された処理システムを備える装置。
【請求項４８】
前記処理システムが、前記第１の性能のセットに関する照会を前記第１のセルから受信するようにさらに構成され、前記第１の性能のセットおよび前記第２の性能のセットと関連付けられた前記情報が、前記受信された照会に応答して同時に送信される、請求項４７に記載の装置。
【請求項４９】
前記処理システムが前記情報に関する照会を前記第１のセルから受信するようにさらに構成され、前記情報が前記受信された照会に応答して送信される、請求項４７に記載の装置。
【請求項５０】
前記情報が、前記第２の性能のセットのうちの少なくとも１つのサブセットが前記第１の性能のセットのうちの少なくとも１つのサブセットと同じであるかどうかを示す少なくとも１ビットを含む、請求項４７に記載の装置。
【請求項５１】
前記少なくとも１ビットが、前記送信された第１の性能のセット内の性能に送信される、請求項５０に記載の装置。
【請求項５２】
前記情報が前記第２の性能のセットを備える、請求項４７に記載の装置。
【請求項５３】
前記第１の性能のセットが周波数分割多重（ＦＤＤ）通信と関連付けられた性能を含み、前記第２の性能のセットが時間分割多重（ＴＤＤ）通信と関連付けられた性能を含む、請求項４７に記載の装置。
【請求項５４】
前記第１の性能のセットが時間分割多重（ＴＤＤ）通信と関連付けられた性能を含み、前記第２の性能のセットが周波数分割多重（ＦＤＤ）通信と関連付けられた性能を含む、請求項４７に記載の装置。
【請求項５５】
前記第１のセルおよび前記第２のセルが同じ進化型ノードＢ（ｅＮＢ）に属している、請求項４７に記載の装置。
【請求項５６】
前記第１のセルが第１の進化型ノードＢ（ｅＮＢ）に属し、前記第２のセルが前記第１のｅＮＢとは異なる第２のｅＮＢに属している、請求項４７に記載の装置。
【請求項５７】
前記第１のｅＮＢおよび前記第２のｅＮＢが同じネットワークに属している、請求項５６に記載の装置。
【請求項５８】
前記第１のｅＮＢおよび前記第２のｅＮＢが異なるネットワークに属している、請求項５６に記載の装置。
【請求項５９】
ワイヤレス通信のためのソースセルであって、
ユーザ機器（ＵＥ）が前記ソースセルからターゲットセルへハンドオーバされることを決定すること、
前記ターゲットセルと通信するために前記ＵＥによって使用される性能のセットに関して照会を前記ＵＥに送信すること、
前記性能のセットを前記ＵＥから受信すること、および
前記性能のセットを前記ターゲットセルに提供すること
を行うように構成された処理システムを備えるソースセル。
【請求項６０】
前記照会は、前記性能のセットが前記ターゲットセルと通信するためのものであることを示す、請求項５９に記載のソースセル。
【請求項６１】
ワイヤレス通信のためのターゲットセルであって、
ソースセルから前記ターゲットセルへのユーザ機器（ＵＥ）のハンドオーバのためにネットワークエンティティからハンドオーバ要求を受信することであって、前記ハンドオーバ要求は、前記ソースセルと関連付けられた第１の性能のセットを含むこと、
前記第１の性能のセットが前記ターゲットセルと関連付けられた第２の性能のセットと異なる場合にハンドオーバ要求肯定応答を構築するための性能のセットを決定することであって、前記性能のセットが前記第２の性能のセットのうちのサブセットであること、
前記性能のセットに基づいて前記ハンドオーバ要求肯定応答を構築すること、および
前記ハンドオーバ要求肯定応答を前記ネットワークエンティティに送信すること
を行うように構成された処理システムを備えるターゲットセル。
【請求項６２】
前記処理システムが、
前記ＵＥから前記ターゲットセルへのハンドオーバのときに前記第２の性能のセットに関して前記ＵＥに性能照会を送信すること、および
前記第２の性能のセットを前記ＵＥから受信すること、
を行うようにさらに構成された、請求項６１に記載の処理システム。
【請求項６３】
前記ハンドオーバ要求が、前記ターゲットセルと関連付けられた第２の性能のセットのうちの少なくとも１つのサブセットが、前記第１の性能のセットのうちの少なくとも１つのサブセットと同じであるかどうかの表示を含み、前記表示に基づいて前記性能のセットが決定される、請求項６１に記載のターゲットセル。
【請求項６４】
前記処理システムが、
ターゲットセルは、前記第２の性能のセットのうちの前記少なくとも１つのサブセットが前記第１の性能のセットのうちの前記少なくとも１つのサブセットと異なること、または前記第２の性能のセットのうちの前記少なくとも１つのサブセットが前記第１の性能のセットのうちの前記少なくとも１つのサブセットと同じであり、前記第２の性能のセットのうちの前記少なくとも１つのサブセットが前記第２の性能のセットのうちのすべてを含まないことを 前記表示が示す場合、前記第２の性能のセットに関して前記ＵＥに性能照会を送信すること、および
前記第２の性能のセットを前記ＵＥから受信すること
を行うようにさらに構成された、請求項６３に記載の処理システム。
【請求項６５】
ワイヤレス通信のためのユーザ機器（ＵＥ）であって、
セルと接続した状態にある間トラッキングエリア更新（ＴＡＵ）要求をネットワークエンティティに送信することであって、前記ＴＡＵ要求が前記セルと前記通信するための前記性能が更新される必要があることを示すこと、
ＴＡＵ受容メッセージを前記ネットワークエンティティから受信すること、および
前記ネットワークエンティティと関連付けられた基地局から無線リソース制御（ＲＲＣ）接続解放メッセージを受信すると、アイドル状態に移行すること
を行うように構成された処理システムを備えるユーザ機器。
【請求項６６】
前記ＵＥが、前記ＲＲＣ接続解放メッセージを受信するとすぐに、前記接続された状態から前記アイドル状態に移行する、請求項６５に記載のＵＥ。
【請求項６７】
ワイヤレス通信のためのネットワークエンティティであって、
ユーザ機器（ＵＥ）がセルと接続した状態にある間トラッキングエリア更新（ＴＡＵ）要求を前記ＵＥから受信することであって、前記ＴＡＵ要求が前記セルと前記通信するための前記性能が更新される必要があることを示すこと、
ＴＡＵ受容メッセージを前記ＵＥに送信すること、および
前記ＴＡＵ受容メッセージを送信すると、また前記ＴＡＵ要求に応答して、前記ＵＥに対する前記接続を解放するためにＵＥコンテキスト解放メッセージのうちの１つを前記セルを制御する基地局に送信し、または前記性能が更新される必要があることを示すメッセージを前記セルを制御する前記基地局に送信すること、
を行うように構成された処理システムを備えるネットワークエンティティ。
【請求項６８】
前記処理システムが、前記ＵＥが音声通話中でなくなるまで前記ＲＲＣ接続解放メッセージの前記送信を遅らせるようにさらに構成される、請求項６７に記載のネットワークエンティティ。
【請求項６９】
ワイヤレス通信のためのユーザ機器（ＵＥ）であって、
第１のセルから第２のセルに移動することであって、前記ＵＥが前記第１のセルと通信するための第１の性能のセット、および前記第２のセルと通信するための第２の性能のセットを有すること、
前記第１の性能のセットと前記第２の性能のセットが異なるかどうか、および前記第１のセルまたは前記第２のセルが前記第２の性能のセットに関して問い合わせたかどうかを判定すること、および
前記第１の性能のセットと前記第２の性能のセットが異なること、および前記第１のセルおよび前記第２のセルが前記第２の性能のセットに関して問い合わせなかったことを判定すると、前記第２のセルに前記第２の性能のセットに関して問い合わせをさせるために前記第２のセルと関連付けられたネットワークに再アタッチすること
を行うように構成された処理システムを備えるユーザ機器。
【請求項７０】
コンピュータプログラム製品であって、
第１の性能のセットを第１のセルに送信することであって、前記第１の性能のセットが前記第１のセルと通信するためのものであること、
第２の性能のセットと関連した情報を前記第１のセルに送信することであって、前記第２の性能のセットが前記第２のセルと通信するためのものであること、
前記第１のセルから前記第２のセルに移動すること、および
前記送信された情報に基づいて前記第２のセルと通信すること
を行うためのコードを含むコンピュータ可読媒体を備えるコンピュータプログラム製品。
【請求項７１】
ソースセル内のコンピュータプログラム製品であって、
ユーザ機器（ＵＥ）が前記ソースセルからターゲットセルへハンドオーバされることを決定すること、
前記ターゲットセルと通信するために前記ＵＥによって使用される性能のセットに関して照会を前記ＵＥに送信すること、
前記性能のセットを前記ＵＥから受信すること、および
前記性能のセットを前記ターゲットセルに提供すること
を行うためのコードを含むコンピュータ可読媒体を備えるコンピュータプログラム製品。
【請求項７２】
ターゲットセル内のコンピュータプログラム製品であって、
ソースセルから前記ターゲットセルへのユーザ機器（ＵＥ）のハンドオーバのためにネットワークエンティティからハンドオーバ要求を受信することであって、前記ハンドオーバ要求は、前記ソースセルと関連付けられた第１の性能のセットを含むこと、
前記第１の性能のセットが前記ターゲットセルと関連付けられた第２の性能のセットと異なる場合にハンドオーバ要求肯定応答を構築するための性能のセットを決定することであって、前記性能のセットが前記第２の性能のセットのうちのサブセットであること、
前記性能のセットに基づいて前記ハンドオーバ要求肯定応答を構築すること、および
前記ハンドオーバ要求肯定応答を前記ネットワークエンティティに送信すること
を行うためのコードを含むコンピュータ可読媒体を備えるコンピュータプログラム製品。
【請求項７３】
ユーザ機器（ＵＥ）内のコンピュータプログラム製品であって、
セルと接続した状態にある間トラッキングエリア更新（ＴＡＵ）要求をネットワークエンティティに送信することであって、前記ＴＡＵ要求が前記セルと前記通信するための前記性能が更新される必要があることを示すこと、
ＴＡＵ受容メッセージを前記ネットワークエンティティから受信すること、および
前記ネットワークエンティティと関連付けられた基地局から無線リソース制御（ＲＲＣ）接続解放メッセージを受信すると、アイドル状態に移行すること
を行うためのコードを含むコンピュータ可読媒体を備えるコンピュータプログラム製品。
【請求項７４】
ネットワークエンティティ内のコンピュータプログラム製品であって、
ユーザ機器（ＵＥ）がセルと接続した状態にある間トラッキングエリア更新（ＴＡＵ）要求を前記ＵＥから受信することであって、前記ＴＡＵ要求が前記セルと前記通信するための前記性能が更新される必要があることを示すこと、
ＴＡＵ受容メッセージを前記ＵＥに送信すること、および
前記ＴＡＵ受容メッセージを送信すると、また前記ＴＡＵ要求に応答して、前記ＵＥに対する前記接続を解放するためにＵＥコンテキスト解放メッセージのうちの１つを前記セルを制御する基地局に送信し、または前記性能が更新される必要があることを示すメッセージを前記セルを制御する前記基地局に送信すること、
を行うためのコードを含むコンピュータ可読媒体を備えるコンピュータプログラム製品。
【請求項７５】
ユーザ機器（ＵＥ）内のコンピュータプログラム製品であって、
第１のセルから第２のセルに移動することであって、前記ＵＥが前記第１のセルと通信するための第１の性能のセット、および前記第２のセルと通信するための第２の性能のセットを有すること、
前記第１の性能のセットと前記第２の性能のセットが異なるかどうか、および前記第１のセルまたは前記第２のセルが前記第２の性能のセットに関して問い合わせたかどうかを判定すること、および
前記第１の性能のセットと前記第２の性能のセットが異なること、および前記第１のセルおよび前記第２のセルが前記第２の性能のセットに関して問い合わせなかったことを判定すると、前記第２のセルに前記第２の性能のセットに関して問い合わせをさせるために前記第２のセルと関連付けられたネットワークに再アタッチすること
を行うためのコードを含むコンピュータ可読媒体を備えるコンピュータプログラム製品。
【発明の詳細な説明】
【技術分野】
【０００１】
本開示は一般に通信システムに関し、より詳細には進化型ＵＭＴＳ地上波無線アクセスネットワーク（Ｅ−ＵＴＲＡＮ）においてのユーザ機器（ＵＥ）性能を更新することに関する。
【背景技術】
【０００２】
ワイヤレス通信システムは、電話、ビデオ、データ、メッセージング、およびブロードキャストなどの様々な電気通信サービスを提供するために広く展開されている。一般的なワイヤレス通信システムは、利用可能なシステムリソース（たとえば、帯域幅、送信電力）を共有することによって複数のユーザとの通信をサポートすることが可能な多元接続技術を使用し得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時間分割同期符号分割多元接続（ＴＤ−ＳＣＤＭＡ）システムなどがある。
【０００３】
これらの多元接続技術は、異なるワイヤレスデバイスが都市、国家、地域、およびさらには地球規模で通信することを可能にする共通プロトコルを提供するために様々な電気通信規格で採用されている。新たに出現した電気通信規格の一例としては、ロングタームエボリューション（ＬＴＥ）がある。ＬＴＥは、第三世代移動体通信標準化プロジェクト（３ＧＰＰ）によって公布されているユニバーサル移動体通信システム（ＵＭＴＳ）モバイル規格への拡張のセットである。ＬＴＥは、スペクトル効率を改善することによってモバイルブロードバンドインターネットアクセスをより良くサポートし、コストを下げ、サービスを改善し、新規のスペクトルを利用し、かつ、ダウンリンク（ＤＬ）でのＯＦＤＭＡ、アップリンク（ＵＬ）でのＳＣ−ＦＤＭＡ、および多入力多出力（ＭＩＭＯ）アンテナ技術を利用して他のオープン規格とより良く統合するように設計されている。しかし、モバイルブロードバンド接続への需要が増加し続けると、ＬＴＥ技術にさらなる改善が必要になる。好ましくは、これらの改善は、その他の多元接続技術およびこれらの技術を利用する電気通信規格に適用可能である必要がある。
【発明の概要】
【０００４】
開示の一態様では、無線通信用の方法、装置、およびコンピュータプログラム製品が提供される。装置は第１のセルから第２のセルに移動する。ＵＥは、第１のセルと通信するための第１の性能のセット、および第２のセルと通信するための第２の性能のセットを有する。装置は、第１の性能のセットと第２の性能のセットが異なるかどうか、および第１のセルまたは第２のセルが第２の性能のセットに関して問い合わせたかどうかを判定する。装置は、第１の性能のセットと第２の性能のセットが異なること、および第１のセルおよび第２のセルが第２の性能のセットに関して問い合わせなかったことを判定すると、第２のセルに第２の性能のセットに関して問い合わせをさせるために第２のセルと関連付けられたネットワークエンティティに再アタッチする。
【０００５】
開示の一態様では、方法、コンピュータプログラム製品、および装置（ＵＥ）が提供される。装置は、第１の性能のセットを第１のセルに送信する。第１の性能のセットは、第１のセルと通信するためのものである。装置は、第２の性能のセットと関連付けられた情報を第１のセルに送信する。第２の性能のセットは、第２のセルと通信するためのものである。装置は、第１のセルから第２のセルに移動する。装置は、送信された情報に基づいて第２のセルと通信する。
【０００６】
開示の一態様では、方法、コンピュータプログラム製品、および装置（ソースセル）が提供される。ソースセルは、ＵＥがソースセルからターゲットセルへハンドオーバされることを決定する。ソースセルは、ターゲットセルと通信するためにＵＥによって使用される１性能のセットに関してＵＥに照会を送信する。ソースセルは、ＵＥから性能のセットを受信する。ソースセルは、性能のセットをターゲットセルに提供する。
【０００７】
開示の一態様では、方法、コンピュータプログラム製品、および装置（ターゲットセル）が提供される。ターゲットセルは、ソースセルからターゲットセルへのＵＥのハンドオーバのためにネットワークエンティティからのハンドオーバ要求を受信する。ハンドオーバ要求は、ソースセルと関連付けられた第１の性能のセットを含む。ターゲットセルは、第１の性能のセットがターゲットセルと関連付けられた第２の性能のセットと異なる場合にハンドオーバ要求肯定応答を構築するための性能のセットを決定する。性能のセットは、第２の性能のセットのサブセットである。ターゲットセルは、性能のセットに基づいてハンドオーバ要求肯定応答を構築する。ターゲットセルは、ネットワークエンティティにハンドオーバ要求肯定応答を送信する。
【０００８】
開示の一態様では、方法、コンピュータプログラム製品、および装置（ＵＥ）が提供される。ＵＥは、セルと接続した状態にある間にネットワークエンティティにトラッキングエリア更新（ＴＡＵ）要求を送信する。ＴＡＵ要求は、セルと通信するための性能が更新される必要があることを示す。ＵＥは、ＴＡＵ受容メッセージをネットワークエンティティから受信する。ＵＥは、ネットワークエンティティと関連付けられた基地局からＲＲＣ接続解放メッセージを受信すると、アイドル状態に移行する。
【０００９】
開示の一態様では、方法、コンピュータプログラム製品、および装置（ネットワークエンティティ）が提供される。ネットワークエンティティは、ＵＥがセルと接続した状態にある間にＵＥからＴＡＵ要求を受信する。ＴＡＵ要求は、セルと通信するための性能が更新される必要があることを示す。ネットワークエンティティは、ＴＡＵ受容メッセージをＵＥに送信する。ネットワークエンティティは、ＴＡＵ受容メッセージを送信すると、およびＴＡＵ要求に応答して、ＵＥに対する接続を解放するためにＵＥコンテキスト解放メッセージのうちの１つをセルを制御する基地局に送信し、または性能が更新される必要があることを示すメッセージをセルを制御する基地局に送信する。
【図面の簡単な説明】
【００１０】
【図１】ネットワークアーキテクチャの一例を示す図。
【図２】アクセスネットワークの一例を示す図。
【図３】ＬＴＥでのＤＬフレーム構造の一例を示す図。
【図４】ＬＴＥでのＵＬフレーム構造の一例を示す図。
【図５】ユーザプレーンおよび制御プレーンに関する無線プロトコルアーキテクチャの一例を示す図。
【図６】アクセスネットワークにおける進化型ノードＢおよびユーザ機器の一例を示す図。
【図７】第１の例としての方法を示す図。
【図８】第２の例としての方法を示す図。
【図９】第３の例としての方法を示す図。
【図１０】第４の例としての方法を示す図。
【図１１】第５の例としての方法を示す図。
【図１２】第６の例としての方法を示す図。
【図１３】第７の例としての方法を示す図。
【図１４】ワイヤレス通信の第１の方法の流れ図。
【図１５】例としての装置における異なるモジュール／手段／構成要素の間のデータフローを示す第１の概念データフロー図。
【図１６】処理システムを利用する装置に関するハードウェア実装形態の一例を示す第１の図。
【図１７】ワイヤレス通信の第２の方法の流れ図。
【図１８】ワイヤレス通信の第３の方法の流れ図。
【図１９】ワイヤレス通信の第４の方法の流れ図。
【図２０】ワイヤレス通信の第５の方法の流れ図。
【図２１】ワイヤレス通信の第６の方法の流れ図。
【図２２】例としての装置における異なるモジュール／手段／構成要素の間のデータフローを示す第２の概念データフロー図。
【図２３】処理システムを利用する装置に関するハードウェア実装形態の一例を示す第２の図。
【図２４】例としての装置における異なるモジュール／手段／構成要素の間のデータフローを示す第３の概念データフロー図。
【図２５】処理システムを利用する装置に関するハードウェア実装形態の一例を示す第３の図。
【図２６】例としての装置における異なるモジュール／手段／構成要素の間のデータフローを示す第４の概念データフロー図。
【図２７】処理システムを利用する装置に関するハードウェア実装形態の一例を示す第４の図。
【図２８】例としての装置における異なるモジュール／手段／構成要素の間のデータフローを示す第５の概念データフロー図。
【図２９】処理システムを利用する装置に関するハードウェア実装形態の一例を示す第５の図。
【図３０】例としての装置における異なるモジュール／手段／構成要素の間のデータフローを示す第６の概念データフロー図。
【図３１】処理システムを利用する装置に関するハードウェア実装形態の一例を示す第６の図。
【発明を実施するための形態】
【００１１】
添付の図面と関連して下記に明記される詳細な説明は、様々な構成の説明として意図されたものであり、本明細書に記載された概念が実践され得る構成のみを表すことを意図してはいない。詳細な説明は、様々な概念の完全な理解を提供する目的で具体的な詳細を含む。しかし、これらの概念はこれらの具体的な詳細が無くても実践され得ることが当業者には明らかであろう。いくつかの例では、よく知られた構造および構成要素は、そのような概念をあいまいにすることを避けるためにブロック図の形態で示される。
【００１２】
次に、電気通信システムのいくつかの態様が様々な装置および方法を参照して提示される。これらの装置および方法は、以下の詳細な説明に説明され、様々なブロック、モジュール、構成要素、回路、ステップ、プロセス、アルゴリズムなど（集合的に「要素」として参照される）によって添付の図面に示される。これらの要素は、電子ハードウェア、コンピュータソフトウェア、またはそれらの任意の組合せを使用して実施され得る。そのような要素がハードウェアまたはソフトウェアとして実施されるかどうかは、全体的なシステムに課される特定の用途および設計上の制約に依存する。
【００１３】
例として、要素、または要素の任意の部分、または要素の任意の組合せは、１つまたは複数のプロセッサを含む「処理システム」によって実施され得る。プロセッサの例には、マイクロプロセッサ、マイクロコントローラ、デジタル信号プロセッサ（ＤＳＰ）、フィールドプログラマブルゲートアレイ（ＦＰＧＡ）、プログラマブルロジックデバイス（ＰＬＤ）、状態マシン（ｓｔａｔｅ  ｍａｃｈｉｎｅ）、ゲート論理（ｇａｔｅｄ  ｌｏｇｉｃ）、ディスクリートハードウェアサーキット、および本開示の全体を通じて説明された様々な機能を行うように構成されたその他の適切なハードウェアがある。処理システム内の１つまたは複数のプロセッサは、ソフトウェアを実装することができる。ソフトウェアは、ソフトウェア、ファームウェア、ミドルウェア、マイクロコード、ハードウェア記述言語として参照されようとまたはそうでなかろうと、指令、指令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行のスレッド、手法、機能などを意味するものとして広く解釈されるべきである。
【００１４】
したがって、１つまたは複数の例としての実施形態では、説明された機能はハードウェア、ソフトウェア、ファームウェア、またはそれらの任意の組合せで実装され得る。ソフトウェアで実装された場合、機能はコンピュータ可読媒体に１つまたは複数の指令またはコードとして記憶または符号化され得る。コンピュータ可読媒体は、コンピュータ記憶媒体を含む。記憶媒体は、コンピュータによってアクセス可能な任意の利用可能な媒体であることができる。例として、また限定ではなく、そのようなコンピュータ可読媒体は、ＲＡＭ、ＲＯＭ、ＥＥＰＲＯＭ（登録商標）、ＣＤ−ＲＯＭ、もしくはその他の光ディスク記憶装置、磁気ディスク記憶装置、もしくはその他の磁気記憶デバイス、または所望のプログラムコードを指令またはデータ構造の形で保持または記憶するために使用可能であり、コンピュータによってアクセス可能な任意のその他の媒体を備えることができる。本明細書では、ディスク（ｄｉｓｋ）またはディスク（ｄｉｓｃ）は、コンパクトディスク（ＣＤ）、レーザディスク、光ディスク、デジタル多目的ディスク（ＤＶＤ）、フロッピー（登録商標）ディスク、およびＢｌｕ−ｒａｙ（登録商標）ディスクを含み、ディスク（ｄｉｓｋ）は通常データを磁気的に再生し、ディスク（ｄｉｓｃ）はレーザによって光学的にデータを再生する。上記の組合せも、コンピュータ可読媒体の範囲内に含まれるべきである。
【００１５】
図１は、ＬＴＥネットワークアーキテクチャ１００を示す図である。ＬＴＥネットワークアーキテクチャ１００は、Ｅｖｏｌｖｅｄ  Ｐａｃｋｅｔ  Ｓｙｓｔｅｍ  （ＥＰＳ）１００として参照され得る。ＥＰＳ１００は、１つまたは複数のユーザ機器（ＵＥ）１０２と、Ｅ−ＵＴＲＡＮ１０４と、エボルブドパケットコア（ＥＰＣ：Evolved Packet Core）１１０と、ホームサブスクライバサーバ（ＨＳＳ：Home Subscriber Server）１２０と、オペレーターズＩＰサービス（Ｏｐｅｒａｔｏｒ’ｓ  ＩＰ  Ｓｅｒｖｉｃｅｓ）１２２とを含むことができる。ＥＰＳは、その他のアクセスネットワークと相互接続することができるが、簡単のためにその他のエンティティ／インターフェースは示されない。図示されるように、ＥＰＳは、パケット交換サービス（ｐａｃｋｅｔ−ｓｗｉｔｃｈｅｄ  ｓｅｒｖｉｃｅ）を提供するが、当業者なら容易に理解するように、本開示の全体を通して提示される様々な概念が、回線交換サービス（ｃｉｒｃｕｉｔ−ｓｗｉｔｃｈｅｄ  ｓｅｒｖｉｃｅ）を提供するネットワークに拡張され得る。
【００１６】
Ｅ−ＵＴＲＡＮは、進化型ノードＢ（ｅＮＢ）１０６と、その他のｅＮＢ１０８とを含む。ｅＮＢ１０６は、ＵＥ１０２に向かってユーザプレーンおよび制御プレーンのプロトコル終端を提供する。ｅＮＢ１０６は、Ｘ２インターフェース（たとえばバックホール）を介してその他のｅＮＢ１０８に接続されてもよい。ｅＮＢ１０６は、基地局、基地送受信局、無線基地局、無線送受信機、送受信機能、基本サービスセット（ＢＳＳ）、拡張サービスセット（ＥＳＳ）、または何らかのその他の適切な専門用語としても参照され得る。ｅＮＢ１０６は、ＵＥ１０２のＥＰＣ１１０へのアクセスポイントを提供する。ＵＥ１０２の例には、携帯電話、スマートフォン、セッション開始プロトコル（ＳＩＰ）フォン、ラップトップ、携帯情報端末（ＰＤＡ）、衛星無線、全地球測位システム、マルチメディアデバイス、ビデオデバイス、デジタルオーディオプレーヤ（たとえばＭＰ３プレーヤ）、カメラ、ゲームコンソール、または任意のその他の同様に機能するデバイスがある。ＵＥ１０２は、当業者により、移動局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかのその他の適切な専門用語としても参照され得る。
【００１７】
ｅＮＢ１０６は、Ｓ１インターフェースによってＥＰＣ１１０に接続される。ＥＰＣ１１０は、モビリティ管理エンティティ（ＭＭＥ：Mobility Management Entity）１１２と、その他のＭＭＥ１１４と、サービングゲートウェイ（Ｓｅｒｖｉｎｇ  Ｇａｔｅｗａｙ）１１６と、パケットデータネットワーク（ＰＤＮ：Packet Data Network）とを含む。ＭＭＥ１１２は、ＵＥ１０２とＥＰＣ１１０の間でのシグナリングを処理する制御ノードである。一般に、ＭＭＥ１１２は、ベアラ管理および接続管理を提供する。すべてのユーザＩＰパケットは、サービングゲートウェイ１１６を介して転送され、サービングゲートウェイ１１６自体はＰＤＮゲートウェイ１１８に接続される。ＰＤＮゲートウェイ１１８は、ＵＥのＩＰアドレス割当て、ならびにその他の機能を提供する。ＰＤＮゲートウェイ１１８は、オペレーターズＩＰサービス１２２に接続される。オペレーターズＩＰサービス１２２には、インターネット、イントラネット、ＩＰマルチメディアサブシステム（ＩＭＳ：IP Multimedia Subsystem）、およびＰＳストリーミングサービス（ＰＳＳ：PS Streaming Service）が挙げられる。
【００１８】
図２は、ＬＴＥネットワークアーキテクチャでのアクセスネットワーク２００の一例を示す図である。この例では、アクセスネットワーク２００は、いくつかのセルラー領域（ｃｅｌｌ）２０２に分割されている。１つまたは複数の低電力クラスｅＮＢ２０８が、セル２０２のうちの１つまたは複数と重複するセルラー領域２１０を有していてもよい。低電力クラスｅＮＢ２０８は、リモートラジオヘッド（ＲＲＨ：remote radio head）として参照され得る。低電力クラスｅＮＢ２０８は、フェムトセル（たとえばホームｅＮＢ（ＨｅＮＢ））、ピコセル、またはマイクロセルであってもよい。マクロｅＮＢ２０４は、各々がそれぞれのセル２０２に割り当てられ、セル２０２内のすべてのＵＥ２０６のＥＰＣ１１０へのアクセスポイントを提供する。この例のアクセスネットワーク２００では、集中型のコントローラはないが、集中型のコントローラは別の構成で使用され得る。ｅＮＢ２０４は、サービングゲートウェイ１１６への無線ベアラ制御、許可制御、モビリティ制御、スケジューリング、セキュリティ、および接続性を含むすべての関連する機能を果たしている。
【００１９】
アクセスネットワーク２００によって利用される、変調および多元接続のスキームは、装備される特定の電気通信規格に応じて変わってもよい。ＬＴＥ用途では、ＯＦＤＭがＤＬで使用され、ＳＣ−ＦＤＭＡがＵＬで使用され、周波数分割多重（ＦＤＤ）と時間分割多重（ＴＤＤ）の両方をサポートする。当業者は、以下の詳細な説明から容易に理解できるように、本明細書に示された様々な概念は、ＬＴＥ用途に十分適している。しかし、これら概念はその他の変調および多元接続技術を使用するその他の電気通信規格に容易に拡張され得る。例として、これらの概念は進化データ最適化（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格群の一部としての第３世代移動体通信規格化プロジェクト２（３ＧＰＰ２：3rd Generation Partnership Project 2）によって公布され、ＣＤＭＡを使用して移動局にブロードバンドインターネットアクセスを提供する無線インターフェース規格である。これらの概念は、広帯域ＤＣＭＡ（Ｗ−ＣＤＭＡ：Wideband-CDMA）およびＴＤ−ＳＣＤＭＡ、ＴＤＭＡを使用するモバイル通信用グローバルシステム（ＧＳＭ（登録商標）：Global System for Mobile Communications）、および進化型ＵＴＲＡ（Ｅ−ＵＴＲＡ：Evolved UTRA）などのその他のＣＤＭＡの変形を使用するユニバーサル地上無線アクセス（ＵＴＲＡ：Universal Terrestrial Radio Access）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、およびＯＦＤＭＡを使用するフラッシュＯＦＤＭに拡張され得る。ＵＴＲＡ、Ｅ−ＵＴＲＡ、ＵＭＴＳ、ＬＴＥ、およびＧＳＭは、３ＧＰＰ機構からの文書に記載されている。ＣＤＭＡ２０００およびＵＭＢは３ＧＰＰ２機構からの文書に記載されている。実際のワイヤレス通信規格および使用される多元接続技術は、システムに課される具体的な用途および全体の設計上の制約に依存する。
【００２０】
ｅＮＢ２０４は、ＭＩＭＯ技術をサポートする複数のアンテナを有することができる。ＭＩＭＯ技術の使用により、ｅＮＢ２０４が空間領域を活用して空間多重化、ビームフォーミング、および送信ダイバーシチをサポートできるようになる。空間多重化は、異なるデータのストリームを同時に同じ周波数で送信するために使用され得る。データストリームは、単一のＵＥ２０６に送信されてデータレートを増加させ、または複数のＵＥ２０６に送信されて全体のシステム容量を増加させる。これは、各データストリームを空間的にプリコード（すなわち振幅および位相のスケーリングを適用）し、次いで各空間的にプリコードされたストリームをＤＬで複数の送信アンテナを介して送信することによって実現される。空間的にプリコードされたデータストリームは、異なる空間的なシグニチャを有するＵＥ２０６に到達し、それによってそのＵＥ２０６に向けられた１つまたは複数のデータストリームを各ＵＥ２０６が復元させることが可能になる。ＵＬでは、各ＵＥ２０６が、空間的にプリコードされたデータストリームを送信し、それによってｅＮＢ２０４が各空間的にプリコードされたデータストリームの供給源を識別することができるようになる。
【００２１】
空間的な多重化は、一般にチャネル条件が良好である場合に用いられる。チャネル条件がより好ましくない場合、ビームフォーミングは送信エネルギーを１つまたは複数の方向に集中させるために使用され得る。これは、複数のアンテナを介して送信するためにデータを空間的にプリコーディングすることによって実現され得る。セルのエッジにおいて良好なカバレッジを実現するために、単一のストリームのビームフォーミング送信が送信ダイバーシチと組み合わせて使用され得る。
【００２２】
下記の詳細な説明では、アクセスネットワークの様々な態様が、ＤＬでＯＦＤＭをサポートするＭＩＭＯシステムを参照して説明される。ＯＦＤＭは、ＯＦＤＭシンボル内のいくつかのサブキャリアにわたってデータを変調するスペクトラム拡散の技術である。サブキャリアは、正確な周波数で離隔される。間隔は、受信機がサブキャリアからデータを復元することを可能にする「直交性」を提供する。時間領域では、ガードインターバル（たとえばサイクリックプレフィックス）が各ＯＦＤＭシンボルに加えられ、ＯＦＤＭシンボル間の干渉を抑制する。ＵＬは、ＤＦＴ拡散ＯＦＤＭ信号の形のＳＣ−ＦＤＭＡを使用して、高ピーク−平均電力比（ＰＡＰＲ）を補償することができる。
【００２３】
図３は、ＬＴＥでのＤＬフレーム構造の一例を示す図３００である。フレーム（１０ｍｓ）は、１０個の等しい大きさのサブフレームに分割され得る。各サブフレームは、２つの連続したタイムスロットを含み得る。リソースグリッドは、２個のタイムスロットを表すために使用されてもよく、各タイムスロットは、リソースブロックを含む。リソースグリッドは、複数のリソース要素に分割される。ＬＴＥでは、リソースブロックは１２個の連続したサブキャリアを周波数領域に含み、各ＯＦＤＭシンボル内の通常のサイクリックプレフィックに関しては、７個の連続するＯＦＤＭシンボルを時間領域に含み、すなわち８４個のリソース要素を含む。拡張されたサイクリックプレフィックに関しては、リソースブロックは時間領域内に６個の連続的なＯＦＤＭシンボルを含み、７２個のリソース要素を含む。Ｒ３０２、３０４として示されるようにリソース要素のうちのいくつかは、ＤＬ基準信号（ＤＬ−ＲＳ）を含む。ＤＬ−ＲＳは、セル固有ＲＳ（ＣＲＳ：Cell-specific RS）（共通ＲＳと呼ばれることもある）３０２と、ＵＥ固有ＲＳ（ＵＥ−ＲＳ：UE-specific RS）３０４とを含む。ＵＥ−ＲＳ３０４は、リソースブロック上のみで送信され、そのとき、対応する物理ＤＬ共有チャネル（ＰＤＳＣＨ：physical DL shared channel）がマッピングされる。各リソース要素によって保持されたビット数は、変調スキームに依存する。したがって、ＵＥが受信するリソースブロックがより多いと、変調スキームがより高くなり、ＵＥに関するデータレートがより高くなる。
【００２４】
図４は、ＬＴＥでのＵＬフレーム構造の一例を示す図４００である。ＵＬに利用可能なリソースブロックは、データセクションおよび制御セクションに分割され得る。制御セクションは、システム帯域幅の２つのエッジに形成され得、かつ構成可能な大きさを有し得る。制御セクション内のリソースブロックは、制御情報の送信に関するＵＥに割り当てられ得る。データセクションは、制御セクション内に含まれないすべてのリソースブロックを含み得る。ＵＬフレーム構造は、データセクションが隣接するサブキャリアを含むことになり、それにより単一のＵＥがデータセクション内のすべての隣接するサブキャリアに割り当てられることが可能になる。
【００２５】
ＵＥは、制御セクション内にリソースブロック４１０ａ、４１０ｂを割り当てられて、制御情報をｅＮＢに送信することができる。ＵＥは、データセクション内にリソースブロック４２０ａ、４２０ｂを割り当てられて、データをｅＮＢに送信することもできる。ＵＥは、制御情報を制御セクション内の割り当てられたリソースブロック上の物理ＵＬ制御チャネル（ＰＵＣＣＨ：physical UL control channel）内に送信し得る。ＵＥは、データのみ、またはデータと制御情報をデータセクション内の割り当てられたリソースブロック上の物理ＵＬ共有チャネル（ＰＵＳＣＨ：physical UL shared channel）内に送信し得る。ＵＬ送信は、サブフレームの両方のスロットの範囲にわたることができ、かつ周波数間をホッピングすることができる。
【００２６】
リソースブロックのセットを使用して最初のシステムアクセスを行い、物理ランダムアクセスチャネル（ＰＲＡＣＨ：physical random access channel）でＵＬ同期を実現することができる。ＰＲＡＣＨ４３０は、ランダムシーケンスを送り、どのようなＵＬデータ／シグナリングも送ることができない。各ランダムアクセスプリアンブルは、６個の連続したリソースブロックに対応する帯域幅を占有する。開始周波数は、ネットワークによって指定される。すなわち、ランダムアクセスプリアンブルの送信は、特定の時間および周波数リソースに限定される。ＰＲＡＣＨに関する周波数ホッピングは全くない。ＰＲＡＣＨアテンプトは、単一のサブフレーム（１ｍｓ）、またはいくつかの隣接したサブフレームの連続で送られ、ＵＥはフレーム（１０ｍｓ）当たり１つのＰＲＡＣＨアテンプトしか行うことができない。
【００２７】
図５は、ＬＴＥにおけるユーザプレーンおよび制御プレーンに関する無線プロトコルアーキテクチャの一例を示す図５００である。ＵＥおよびｅＮＢに関する無線プロトコルアーキテクチャが、層１、層２、および層３の３つの層で示されている。層１（Ｌ１層）は最下層であり、様々な物理層の信号処理機能を実装する。Ｌ１層は、本明細書では物理層５０６として参照される。層２（Ｌ２層）５０８は、物理層５０６の上にあり、物理層５０６全体にわたるＵＥとｅＮＢの間を接続する役割を果たす。
【００２８】
ユーザプレーンでは、Ｌ２層５０８は、メディアアクセス制御（ＭＡＣ）サブ層５１０と、無線リンク制御（ＲＬＣ）サブ層５１２と、パケットデータ収束プロトコル（ＰＤＣＰ：packet data convergence protocol）サブ層５１４を含み、それらはネットワーク側のｅＮＢで終端する。図示はされないが、ＵＥは、ネットワーク側のＰＤＮゲートウェイ１１８で終端されるネットワーク層（たとえばＩＰ層）と、接続のもう一方の端部（たとえば遠端のＵＥ、サーバなど）で終端するアプリケーション層とを含むＬ２層５０８の上のいくつかの上部層を含み得る。
【００２９】
ＰＤＣＰサブ層５１４は、異なる無線ベアラと論理チャネルとの間で多重化を提供する。ＰＤＣＰサブ層５１４は、無線送信オーバヘッドを低下させるための上部層データパケットに対するヘッダ圧縮、データパケットを暗号化することによるセキュリティ、およびｅＮＢ間のＵＥに対するハンドオーバサポートも提供する。ＲＬＣサブ層５１２は、上部層データパケットのセグメント化および再アセンブリ、失われたデータパケットの再送信、およびハイブリッド自動再送要求（ＨＡＲＱ）による順序の乱れたレセプションを補償するデータパケットの並び替えを提供する。ＭＡＣサブ層５１０は、論理チャネルとトランスポートチャネルの間で多重化を提供する。ＭＡＣサブ層５１０は、ＵＥ間の１つのセルに様々な無線リソース（たとえばリソースブロック）を割り当てる役割も果たす。ＭＡＣサブ層５１０は、ＨＡＲＱオペレーションを行う役割も果たす。
【００３０】
制御プレーンでは、ＵＥおよびｅＮＢに関する無線プロトコルアーキテクチャは、物理層５０６およびＬ２層５０８に関して、制御プレーンに対するヘッダ圧縮機能が全くないことを除いて実質的に同じである。制御プレーンは、層３（Ｌ３層）の無線リソース制御（ＲＲＣ）サブ層５１６も含む。ＲＲＣサブ層５１６は、ｅＮＢとＵＥの間のＲＲＣシグナリングを使用して無線リソース（たとえば無線ベアラ）を取得し、下部層を構成する役割を果たす。
【００３１】
図６は、アクセスネットワーク内のＵＥ６５０と通信するｅＮＢ６１０のブロック図である。ＤＬでは、コアネットワークからの上部層パケットは、コントローラ／プロセッサ６７５に提供される。コントローラ／プロセッサ６７５は、Ｌ２層の機能を実装する。ＤＬでは、コントローラ／プロセッサ６７５は、ヘッダ圧縮、暗号化、パケットのセグメント化および並び替え、論理チャネルとトランスポートチャネルの間の多重化、ならびに様々な優先度メトリクスに基づくＵＥ６５０への無線リソース割り当てを提供する。コントローラ／プロセッサ６７５は、ＨＡＲＱオペレーション、失われたパケットの再送信、およびＵＥ６５０へのシグナリングを行う役割も果たす。
【００３２】
送信（ＴＸ）プロセッサ６１６は、Ｌ１層（すなわち物理層）に関する様々な信号処理機能を実装する。信号処理機能は、ＵＥ６５０における前方誤り訂正（ＦＥＣ）を促進するためにコーディングおよびインターリーブすることと、様々な変調スキーム（たとえば二相位相変調（ＢＰＳＫ：binary phase-shift keying）、四相位相変調（ＱＰＳＫ：quadrature phase-shift keying）、Ｍ位相変調（Ｍ−ＰＳＫ：M-phase-shift keying）、Ｍ直交振幅変調（Ｍ−ＱＡＭ：M-quadrature amplitude modulation））に基づいて信号コンステレーションにマッピングすることとを含む。次いで、コーディングおよび変調されたシンボルは、並列なストリームに分割される。次いで、各ストリームは、ＯＦＤＭサブキャリアにマッピングされ、時間領域および／または周波数領域に基準信号（たとえばパイロット）によって多重化され、次いで逆高速フーリエ変換（ＩＦＦＴ）を使用して互いに結び付けられて時間領域ＯＦＤＭシンボルストリームを送る物理チャネルを生成する。ＯＦＤＭストリームは、空間的にプリコードされて多重空間ストリームを生成する。チャネル推定器６７４からのチャネル推定を使用して、コーディングおよび変調スキーム、ならびに空間的処理を決定することができる。チャネル推定は、基準信号および／またはＵＥ６５０によって送信されたチャネル状態のフィードバックから導くことができる。次いで、各空間的なストリームは、別個の送信器６１８ＴＸを介して異なるアンテナ６２０に提供される。各送信器６１８ＴＸは、送信のためにＲＦキャリアをそれぞれの空間ストリームによって変調する。
【００３３】
ＵＥ６５０において、各受信機６５４ＲＸがそれぞれのアンテナ６５２を介して信号を受信する。各受信機６５４ＲＸは、ＲＦキャリアの上に変調された情報を復元し、受信（ＲＸ）プロセッサ６５６に情報を提供する。ＲＸプロセッサ６５６は、Ｌ１層の様々な信号処理機能を実装する。ＲＸプロセッサ６５６は、ＵＥ６５０に向けられたどのような空間ストリームも復元するために情報に空間的な処理を行う。複数の空間ストリームが、ＵＥ６５０に向けられた場合、それらはＲＸプロセッサ６５６によって単一のＯＦＤＭシンボルストリームに結び付けられ得る。次いで、ＲＸプロセッサ６５６は、ＯＦＤＭシンボルストリームを時間領域から周波数領域に高速フーリエ変換（ＴＦＴ）を使用して変換する。周波数領域信号は、ＯＦＤＭ信号の各サブキャリアに対する別個のＯＦＤＭシンボルストリームを備える。各サブキャリアおよび基準信号のシンボルは、ｅＮＢ６１０によって送信された最も可能性の高い信号コンステレーション点を判定することによって復元および復調される。これらの軟判定は、チャネル推定器６５８によって計算されたチャネル推定に基づくものであることであってもよい。次いで、軟判定は、復号およびデインターリーブされて、最初は物理チャネルにｅＮＢ６１０によって送信されたデータおよび制御信号を復元する。次いで、データおよび制御信号はコントローラ／プロセッサ６５９に提供される。
【００３４】
コントローラ／プロセッサ６５９は、Ｌ２層を実装する。コントローラ／プロセッサは、プログラムコードおよびデータを記憶するメモリ６６０と関連付けられ得る。メモリ６６０は、コンピュータ可読媒体として参照されてもよい。ＵＬでは、コントローラ／プロセッサ６５９は、送信チャネルと論理チャネル間の分離化、パケット再アセンブリ、復号、ヘッダ復元、制御信号処理を提供して、コアネットワークから上部層を復元する。次いで、上部層パケットは、Ｌ２層の上のすべてのプロトコル層を表すデータシンク６６２に提供される。様々な制御信号が、Ｌ３処理のためにデータシンク６６２にも提供され得る。コントローラ／プロセッサ６５９は、肯定応答（ＡＣＫ）プロトコルおよび／または否定応答（ＮＡＣＫ）プロトコルを使用してエラー検出する役割も果たし、ＨＡＲＱオペレーションをサポートする。
【００３５】
ＵＬでは、データソース６６７を使用して、上部層パケットをコントローラ／プロセッサ６５９に提供する。データソース６６７は、Ｌ２層の上のすべてのプロトコル層を表す。ｅＮＢ６１０によるＤＬ送信と関連して説明した機能と同様に、コントローラ／プロセッサ６５９は、ｅＮＢ６１０による無線リソースの割り当てに基づいてヘッダ圧縮、暗号化、パケットのセグメント化および並び替え、ならびに論理チャネルと移送チャネルの間の多重化を提供することによって、ユーザプレーンおよび制御プレーンにＬ２層を実装する。コントローラ／プロセッサ６５９は、ＨＡＲＱオペレーション、失われたパケットの再送信、およびｅＮＢ６１０へのシグナリングを行う役割も果たす。
【００３６】
ｅＮＢ６１０によって送信された基準信号またはフィードバックからチャネル推定器６５８によって取得されたチャネル推定は、ＴＸプロセッサ６６８によって使用されて、適切なコーディングおよび変調スキームを選択し、空間的な処理を促進することができる。ＴＸプロセッサ６６８によって生成された空間ストリームは、別個の送信器６５４ＴＸを介して異なるアンテナ６５２に提供される。各送信器６５４ＴＸは、送信のためにＲＦキャリアをそれぞれの空間ストリームによって変調する。
【００３７】
ＵＬ送信は、ＵＥ６５０における受信機機能と関連して説明されたものと同様の方法でｅＮＢ６１０において処理される。各受信機６１８ＲＸは、それぞれのアンテナ６２０を介して信号を受信する。各受信機６１８ＲＸは、ＲＦキャリアの上に変調された情報を復元し、受信（ＲＸ）プロセッサ６７０に情報を提供する。ＲＸプロセッサ６７０は、Ｌ１層を実装することができる。
【００３８】
コントローラ／プロセッサ６７５は、Ｌ２層を実装する。コントローラ／プロセッサ６７５は、プログラムコードおよびデータを記憶するメモリ６７６と関連付けられ得る。メモリ６７６は、コンピュータ可読媒体として参照されてもよい。ＵＬでは、コントローラ／プロセッサ６７５は、送信チャネルと論理チャネル間の分離化、パケット再アセンブリ、復号、ヘッダ復元、制御信号処理を提供して、ＵＥ６５０から上部層パケットを復元する。コントローラ／プロセッサ６７５からの上部層パケットは、コアネットワークに提供され得る。コントローラ／プロセッサ６７５は、ＡＣＫプロトコルおよび／またはＮＡＣＫプロトコルを使用してエラー検出を行う役割も果たし、ＨＡＲＱオペレーションをサポートする。
【００３９】
ＵＥが第１のｅＮＢと通信する場合に、ＵＥは第１のｅＮＢに通信に関する性能を提供する。ＵＥ性能は、オプションの性能と、必須／必要の性能とを含む。必須／必要の性能は、機能グループ指示（ＦＧＩ：Feature Group Indicator）として参照され得る。ＵＥは、そのグループのすべての特徴がサポートされる場合に、ＦＧＩをサポートする。ＬＴＥでは、性能は、ＵＥ−ＥＵＴＲＡ性能情報要素においてＵＥによって伝達される。オプションの性能には、以下の性能のうちの１つまたは複数が含まれ得る。
【表１−１】
2014534745.tif 000003
【表１−２】
2014534745.tif 000004
【表１−３】
2014534745.tif 000005
【００４０】
ＦＧＩには、以下の性能のうちの１つまたは複数が含まれ得る。
【表２−１】
2014534745.tif 000006
【表２−２】
2014534745.tif 000007
【００４１】
ＦＧＩには、さらに以下の性能のうちの１つまたは複数が含まれ得る。
【表３−１】
2014534745.tif 000008
【表３−２】
2014534745.tif 000009
【００４２】
具体的な性能が列挙されたが、特定のセル（セクタとしても参照される）と通信するためのＵＥの性能のセットは、上記に列挙されないその他の性能も含み得る。ＵＥが第１のｅＮＢから第２のｅＮＢに移動する場合、第１のｅＮＢは、第２のｅＮＢにその他のネットワークエンティティを介して直接的または間接的にＵＥ性能を提供する。しかし、ＵＥ性能が第２のｅＮＢと通信するために変更された場合、第２のｅＮＢは変更された性能を認識しない。たとえば、第１のｅＮＢはＦＤＤ通信を提供し、第２のｅＮＢはＴＤＤ通信を提供すると想定する。ＵＥは、ＦＤＤ通信のためのＦＤＤ性能、およびＴＤＤ通信のためのＴＤＤ性能を有することができる。ＵＥが第１のｅＮＢから第２のｅＮＢに移動すると、第１のｅＮＢは第２のｅＮＢにＦＤＤ性能情報を提供する。第２のｅＮＢは、ＵＥがＴＤＤ通信のためのＴＤＤ性能を有することを認識せず、したがってＴＤＤ性能の代わりにＦＤＤ性能に基づいてＵＥと通信する。したがって、ＵＥ性能を更新するための方法が必要である。
【００４３】
ＵＥが第１の性能のセットと関連付けられた第１のｅＮＢから第２の性能のセットと関連付けられた第２のｅＮＢに移動する場合、以下の方法が適用可能である。図７〜１３と関連する説明は、例としての方法を説明する際に簡潔にするため、第１のｅＮＢがＦＤＤを介して通信すると想定され、第２のｅＮＢがＴＤＤを介して通信すると想定される。逆のことが当てはまることもあり、したがって第１のｅＮＢ（ソース）がＴＤＤを介して通信してもよく、第２のｅＮＢ（ターゲット）がＦＤＤを介して通信してもよい。しかし、一般的に、ＵＥが第１の性能のセットと関連付けられた第１のｅＮＢから第２の性能のセットと関連付けられた第２のｅＮＢに移動する場合で第１および第２の性能のセットが異なるときには、以下に説明されるすべての方法が適用可能である。さらに、ＵＥが第１の性能のセットを有する第１のセル／セクタから第２の性能のセットと関連付けられた第２の第２のセル／セクタに移動する場合で第１および第２の性能のセットが異なるときには、以下に説明されるすべての方法が適用可能である。第１および第２のセル／セクタは、同じｅＮＢに属しても、または属していなくてもよい。
【００４４】
図７は、第１の例としての方法を示す図７００である。ＵＥ７０６がＦＤＤｅＮＢ７０２と通信している間に、ＵＥは、ＦＤＤｅＮＢ７０２にＦＤＤ性能を提供する（７０７）。どこかの点で、ＵＥ７０６は、ＦＤＤｅＮＢ７０２によるサービングからＴＤＤｅＮＢ７０４によるサービングに移動する。ＦＤＤｅＮＢ７０２は、ＵＥ７０６のＦＤＤ性能７０８をＴＤＤｅＮＢ７０４に提供する。第１の例としての方法にしたがって、ＵＥ７０６は、その性能がＴＤＤネットワークに対して変更された（すなわちＦＤＤｅＮＢ７０２と通信するために使用された性能と異なる）かどうか、およびＵＥがＦＤＤｅＮＢ７０２からＴＤＤｅＮＢ７０４に移動する前にＦＤＤｅＮＢ７０２がそのＴＤＤ性能に関して問い合わせるかどうか、またはＵＥがＦＤＤｅＮＢ７０２からＴＤＤｅＮＢ７０４に移動した後にそのＴＤＤ性能に関して問い合わせるかを決定する。ＵＥ７０６は、その性能がＴＤＤネットワークに対して変更されたことを判定し、ＦＤＤｅＮＢ７０２およびＴＤＤｅＮＢ７０４の両方が、そのＴＤＤ性能に関して問い合わせをしないことを決定した場合、ＴＤＤｅＮＢ７０４にそのＴＤＤ性能に関して問い合わせを行わせるために、オプションのデタッチ７１２を行ってから、ＵＥ７０６はＴＤＤｅＮＢ７０４とのアタッチ７１２を行う。
【００４５】
図８（および図１１）に関係して下記に論じるように、ＴＤＤ性能に関する情報が、ＴＤＤｅＮＢ７０４へのハンドオーバの前に、ＦＤＤｅＮＢ７０２に提供され得る。
【００４６】
図８は、第２の例としての方法を示す図８００である。ＵＥ８０６がＦＤＤｅＮＢ８０２と通信している間に、ＵＥ８０６はＦＤＤｅＮＢ８０２にそのＦＤＤ性能を提供する（８０８）。第２の例としての方法にしたがって、ＵＥ８０６はＦＤＤｅＮＢ８０２にそのＴＤＤ性能も提供する（８１０）。あるいは、ＵＥ８０６は、そのＴＤＤ性能の一部またはすべてがＦＤＤ性能から変更されたかどうかをＴＤＤビット（複数可）インジケータに示すことができる（８１０）。ＵＥ８０６は、ＦＤＤ性能をＦＤＤｅＮＢ８０２に提供する場合にＴＤＤ性能またはビット（複数可）インジケータを提供することができる（８１０）。あるいは、ＵＥ８０６は、ＦＤＤｅＮＢ８０２からＴＤＤｅＮＢ８０４に（たとえばハンドオフにおいて）移動する場合に、ＴＤＤ性能またはビット（複数可）インジケータを提供することができる（８１０）。
【００４７】
ＵＥ８０６がＴＤＤ性能をＦＤＤｅＮＢ８０２に提供し、ＦＤＤｅＮＢ８０２が、ＵＥ８０６がＦＤＤｅＮＢ８０２によるサービングからＴＤＤｅＮＢ８０４によるサービングに移動することを決定する場合、ＦＤＤｅＮＢ８０２は、ＵＥ８０６のＴＤＤ性能およびオプションでＦＤＤ性能をＴＤＤｅＮＢ８０４に提供することができる（８１２）。ＵＥ８０６がＴＤＤビット（複数可）インジケータをＦＤＤｅＮＢ８０２に提供し、ＦＤＤｅＮＢ８０２が、ＵＥ８０６がＦＤＤｅＮＢ８０２によるサービングからＴＤＤｅＮＢ８０４によるサービングに移動することを決定する場合、ＦＤＤｅＮＢ８０２は、ＦＤＤ性能およびＴＤＤビット（複数可）インジケータをＴＤＤｅＮＢ８０４に提供することができる（８１２）。
【００４８】
ＴＤＤビット（複数可）インジケータは、オプションの性能のサブセットおよびＦＧＩのサブセットがＦＤＤに比べてＴＤＤに関して異なるかどうかを示すために使用される１つまたは複数のビットであり得る。たとえば、ＴＤＤビット（複数可）インジケータが１ビットである場合、１ビットは、性能のサブセット（すべてであってもよい）が同じまたは異なるかどうかを示すことができる。別の例に関しては、ＴＤＤビット（複数可）インジケータが２ビットを含む場合、第１のビットはオプションの性能が同じである、または異なるかどうかを示すことができ、第２のビットはＦＧＩが同じである、または異なるかどうかを示すことができる。その他の構成が可能である。
【００４９】
ＴＤＤビット（複数可）インジケータが、ＵＥ８０６のＴＤＤ性能がＦＤＤ性能と同じである（すなわちＵＥ８０６の性能がＵＥ８０６のＦＤＤｅＮＢ８０２からＴＤＤｅＮＢ８０４への移動において変更されない）ことを示す場合、ＴＤＤｅＮＢ８０４はＵＥ８０６に更新された性能に関して問い合わせない。ＴＤＤビット（複数可）インジケータが、ＵＥ８０６のＴＤＤ性能の所定のサブセットがＦＤＤ性能の所定のサブセットと同じである（すなわちＵＥ８０６の性能の所定のサブセットがＵＥ８０６のＦＤＤｅＮＢ８０２からＴＤＤｅＮＢ８０４への移動において変更されない）ことを示す場合、ＴＤＤｅＮＢ８０４はＵＥ性能の所定のサブセットにしたがってＵＥ８０６を構成することができ、更新された性能に関して必要になるまでＵＥ８０６に問い合わせることを遅らせる。しかし、ＴＤＤビット（複数可）インジケータが、ＵＥ８０６のＴＤＤ性能がＦＤＤ性能と異なる（すなわちＵＥ８０６の性能がＵＥ８０６のＦＤＤｅＮＢ８０２からＴＤＤｅＮＢ８０４への移動において変更された）ことを示す場合、ＴＤＤｅＮＢ８０４はＵＥ８０６にそのＴＤＤ性能に関して問い合わる。
【００５０】
図９は、第３の例としての方法を示す図９００である。方法は、ＵＥがＦＤＤｅＮＢからＴＤＤｅＮＢに移動するとき、ＵＥがＴＤＤｅＮＢからＦＤＤｅＮＢに移動するとき、ＧＳＭ（登録商標）  ＥＤＧＥ無線アクセスネットワーク（ＧＥＲＡＮ：GSM EDGE Radio Access Network）、Ｅ−ＵＴＲＡＮ、およびｃｄｍａ２０００に対して性能が変更されたとき、およびＵＥが異なる性能を有する第１のセル／セクタから第２のセル／セクタ（同じｅＮＢに属しても属していなくてもよい）に移動するときに行われ得る。ステップ９０８では、ＵＥ９０２がＲＲＣ_ＣＯＮＮＥＣＴＥＤモードにある場合、ＵＥはそのＥ−ＵＴＲＡＮ性能を更新することを決定する。ステップ９１０では、ＵＥはトラッキングエリア更新（ＴＡＵ）要求を（ＮＢ９０４を介して）ＭＭＥ９０６に送る。ＴＡＵ要求は、ＵＥ９０２によって、その性能情報を更新するために（たとえばｅＮＢ９０４へハンドオフしたとき）ＴＡＵ要求がなされたことを示すフラグを含む。ステップ９１２では、ＭＭＥ９０６は、ＵＥ９０２に関して記憶されたＵＥ無線性能情報を削除する。ステップ９１４では、ＭＭＥ９０６はＴＡＵ受容メッセージを送り、ＵＥ無線性能情報の更新が必要であることを肯定応答する。ステップ９１６では、ステップ９１４の直後に、ＭＭＥ９０６はｅＮＢ９０４にＵＥコンテキスト解放メッセージを送り、ｅＮＢ９０４はＵＥ９０２にＲＲＣ接続解放メッセージを送る。したがって、ステップ９１６ではＳ１およびＲＲＣ接続が解放される。ＵＥは、ＲＲＣ接続解放メッセージをｅＮＢ９０４から受信すると、ＲＲＣ＿ＩＤＬＥモードに移行する。１つの構成では、ステップ９１６は、ＵＥがデータを受信している場合でも行われるが、ＵＥが音声通話中でない場合のみ行われる。そのような構成では、ステップ９１６は音声通話が終了するまで遅らされ得る。ステップ９１８では、ステップ９１６の直後に、ＵＥ９０２はｅＮＢ９０４にＲＲＣ接続要求メッセージを送る。ステップ９２０では、ｅＮＢ９０４がＲＲＣ接続セットアップメッセージをＵＥ９０２に送る。ステップ９２２では、ＵＥ９０２がＲＲＣ接続セット完了（サービス要求）メッセージをｅＮＢ９２２に送る。ステップ９２４では、ｅＮＢ９０４はサービス要求をＭＭＥ９０６に送る。ステップ９２６では、ＭＭＥ９０６はイニシャルコンテキストセットアップメッセージで応答する。イニシャルコンテキストセットアップメッセージは、ステップ９１２においてＭＭＥ９０６がそのような情報を以前に削除したので、ＵＥ９０２のＵＥ性能情報を含まない。ステップ９２８では、ｅＮＢ９０４はイニシャルコンテキストセットアップ応答メッセージをＭＭＥ９０６に送る。ステップ９３０では、ｅＮＢ９０４は性能の照会をＵＥ９０２に送る。ステップ９３２では、ＵＥ９０２はそのＵＥ性能情報をｅＮＢ９０４に送る。ステップ９３２において送られたＵＥ性能情報は、ＦＤＤ性能情報と、ＴＤＤ性能情報と、ＧＥＲＡＮ性能情報と、ｃｄｍａ２０００性能情報と、その他の適用可能なネットワークシステムに関する任意のその他の性能情報とを含む異なるネットワークシステムに関する性能情報を含み得る。したがって、ｅＮＢ９０４がＴＤＤｅＮＢであっても、ＵＥ９０���はＴＤＤ  ＬＴＥ、ならびにＦＤＤ  ＬＴＥ、ＧＥＲＡＮ、およびｃｄｍａ２０００に関するその性能情報を送ることができる。ステップ９３４では、ｅＮＢ９０４は、それが新規の性能情報を受信した表示を送り、新規の性能情報をＭＭＥ９０６に提供する。ステップ９３６では、ＭＭＥ９０６は、ＵＥ９０２の新規の性能情報を記憶する。
【００５１】
図１０は、第４の例としての方法を示す図１０００である。方法は、ＵＥがＦＤＤｅＮＢからＴＤＤｅＮＢに移動するとき、ＵＥがＴＤＤｅＮＢからＦＤＤｅＮＢに移動するとき、ＧＥＲＡＮ、Ｅ−ＵＴＲＡＮ、およびｃｄｍａ２０００に対して性能が変更されたとき、およびＵＥが異なる性能を有する第１のセル／セクタから第２のセル／セクタ（同じｅＮＢに属しても、または属していなくてもよい）ときに行われ得る。ステップ１００８では、ＵＥ１００２がＲＲＣ＿ＩＤＬＥモードである場合、ＵＥはそのＥ−ＵＴＲＡＮ性能を更新することを決定する。ステップ１０１０では、ＵＥは、ＴＡＵ要求を（ｅＮＢ１００４を介して）ＭＭＥ１００６に送る。ＴＡＵ要求は、ＵＥ１００２によって、その性能情報を更新するために（たとえばｅＮＢ１００４へハンドオフしたとき）ＴＡＵ要求がなされたことを示すフラグと、ＭＭＥがステップ１０２６を行うことを要求するアクティブフラグとを含む。ステップ１０１２では、ＭＭＥ１００６はＵＥ１００２に関して記憶されたＵＥ無線性能情報を削除する。ステップ１０１４では、ＭＭＥ１００６は、ＵＥ無線性能情報更新が必要であることを肯定応答するために、ＴＡＵ受容メッセージを送る。ステップ１０１４に続いて、Ｓ１およびＲＲＣ接続が解放されず、ＲＲＣ接続の解放およびセットアップが行われず、したがって新規のサービス要求がＵＥ１００２によって行われない（すなわちステップ９１６〜９２４が行われない）。ステップ１０２６では、ＭＭＥ１００６はイニシャルコンテキストセットアップメッセージを送る。イニシャルコンテキストセットアップメッセージは、ＭＭＥ１００６がステップ１０１２でそのような情報を以前に削除したので、ＵＥ１００２のＵＥ性能情報を含まない。ステップ１０２８では、ｅＮＢ１００４は、イニシャルコンテキストセットアップ応答メッセージをＭＭＥ１００６に送る。ステップ１０３０では、ｅＮＢ１００４は、性能の照会をＵＥ１００２に送る。ステップ１０３２では、ＵＥ１００２はＵＥ性能情報をｅＮＢ１００４に送る。ステップ１０３２で送られたＵＥ性能情報は、ＦＤＤ性能情報と、ＴＤＤ性能情報と、ＧＥＲＡＮ性能情報と、ｃｄｍａ２０００性能情報と、その他の適用可能なネットワークシステムに関する任意のその他の性能情報とを含む、異なるネットワークシステムに関する性能情報を含み得る。したがって、ｅＮＢ１００４がＴＤＤｅＮＢであっても、ＵＥ１００２は、ＴＤＤ  ＬＴＥ、ならびにＦＤＤ  ＬＴＥ、ＧＥＲＡＮ、およびｃｄｍａ２０００に関するその性能情報を送ることができる。ステップ１０３４では、ｅＮＢ１００４は、それが新規の性能情報を受信した表示を送り、新規の性能情報をＭＭＥ１００６に提供する。ステップ１０３６では、ＭＭＥ１００６はＵＥ１００２の新規の性能情報を記憶する。
【００５２】
図１１は、第５の例としての方法を示す図１１００である。ステップ１１１２では、ＵＥはＥＣＭ−ＣＯＮＮＥＣＴＥＤモードである。ステップ１１１４では、ＦＤＤｅＮＢ１１０４は、ＵＥ１１０２がＴＤＤｅＮＢ１１１０に引き渡される必要があることを決定し、したがって、ＦＤＤｅＮＢ１１０４はＵＥ１１０２にＴＤＤ性能情報に関して問い合わせる。１つの構成では、ＦＤＤｅＮＢ１１０４は、ＵＥ１１０２にＴＤＤ性能情報に関して問い合わせる前に、ＵＥ１１０２がＦＤＤ性能とは異なるＴＤＤ性能を有するかどうかを判定する。ＦＤＤｅＮＢ１１０４は、ＵＥ１１０２が、ＵＥのＦＤＤ性能がＵＥのＴＤＤ性能とは異なることを示すフラグを設定したかどうかを判定することによってこの情報を取得することができる。新規のＦＧＩは、ＴＤＤ／ＦＤＤ性能の違いを示すためのフラグを含むために定義され得る。ステップ１１１６では、ＵＥ１００２はＴＤＤ性能情報をＦＤＤｅＮＢ１１０４に送る。ステップ１１１８では、ＦＤＤｅＮＢ１１０４は、ＦＤＤｅＮＢ１１０４に関するＭＭＥであるソースＭＭＥ１１０６にハンドオーバに必要なメッセージを送る。ハンドオーバに必要なメッセージは、ＴＤＤ性能情報を含む。ステップ１１２０では、ソースＭＭＥ１１０６は、ターゲットＭＭＥ１１０８がソースＭＭＥ１１０６とは異なるＭＭＥであることを想定して、ターゲットＭＭＥ１１０８にフォワードリロケーション要求メッセージを送る。フォワードリロケーション要求メッセージはＴＤＤ性能情報を含む。ステップ１１２２では、ターゲットＭＭＥ１１０８は、ハンドオーバ要求をＴＤＤｅＮＢ１１１０に送る。ハンドオーバ要求は、ＴＤＤ性能情報を含む。ステップ１１２４では、ＴＤＤｅＮＢ１１１０は、ハンドオーバ要求肯定応答によってターゲットＭＭＥ１１０８に応答する。ステップ１１２６では、ターゲットＭＭＥ１１０８がフォワードリロケーション応答メッセージをソースＭＭＥ１１０６に送る。ステップ１１２８では、ソースＭＭＥ１１０６は、ハンドオーバコマンドをＦＤＤｅＮＢ１１０４に送る。ステップ１１３０では、ＦＤＤｅＮＢ１１０４は、ＲＲＣ接続再構成メッセージをＵＥ１１０２に送る。ステップ１１３２では、ＵＥ１１０２は、Ｅ−ＵＴＲＡＮへのハンドオーバが完了したことを示すメッセージをＴＤＤｅＮＢ１１１０に送る。したがって、ステップ１１３２の後で、ＵＥ１１０２はＴＤＤｅＮＢ１１１０に移動し、したがってハンドオーバを完了する。
【００５３】
図１１では、ソースｅＮＢ１１０４はＦＤＤｅＮＢであり、ターゲットｅＮＢ１１１０はＴＤＤｅＮＢであるが、図１１と関連して説明された例としての方法は、ソースｅＮＢ１１０４がＴＤＤｅＮＢであり、ターゲットｅＮＢ１１１０がＦＤＤｅＮＢである場合に適用可能である。さらに、一般的に、図１１と関連して説明された例としての方法は、ＵＥがソースｅＮＢ１１０４と通信するための第１の性能のセット、およびターゲットｅＮＢ１１１０と通信するための第２の性能のセットを有する場合に適用可能である。さらに、図１１と関連して説明された例としての方法は、ＵＥが第１の性能のセットを有する第１のセルから第２の性能のセットを有する第２のセルに移動した場合に適用可能である。第１のセルは、ソースｅＮＢ１１０４に属していることができ、第２のセルはターゲットｅＮＢ１１１０に属していることができる。ｅＮＢ１１０４とｅＮＢ１１１０は異なることができる。あるいは、それらは同じｅＮＢであることができ、その場合ｅＮＢは複数のセルを有する。
【００５４】
図１２は、第６の例としての方法を示す図１２００である。ステップ１２１２では、ＵＥはＥＣＭ−ＣＯＮＮＥＣＴＥＤモードである。したがって、ＵＥ１２０２はＦＤＤｅＮＢ１２０４と通信する（たとえばユニキャスト、マルチキャスト、ブロードキャスト）。ステップ１２１８では、ＦＤＤｅＮＢ１２０４はＵＥ１２０２がＴＤＤｅＮＢ１２１０に引き渡される必要があると判定し、したがってＦＤＤｅＮＢ１２０４は、ハンドオーバに必要なメッセージをソースＭＭＥ１２０６に送り、そのＭＭＥはＦＤＤｅＮＢ１２０４に関するＭＭＥである。ハンドオーバに必要なメッセージは、以前に受信したＦＤＤ性能情報を含む。ステップ１２２０では、ソースＭＭＥ１２０６は、ターゲットＭＭＥ１２０８がソースＭＭＥ１２０６とは異なるＭＭＥであることを想定して、ターゲットＭＭＥ１２０８にフォワードリロケーション要求メッセージを送る。フォワードリロケーション要求メッセージはＦＤＤ性能情報を含む。ステップ１２２２では、ターゲットＭＭＥ１２０８は、ハンドオーバ要求をＴＤＤｅＮＢ１２１０に送る。ハンドオーバ要求は、ＦＤＤ性能情報を含む。ステップ１２２４では、ＴＤＤｅＮＢ１２１０は、ハンドオーバ要求肯定応答によってターゲットＭＭＥ１２０８に応答する。ステップ１２２６では、ターゲットＭＭＥ１２０８がフォワードリロケーション応答メッセージをソースＭＭＥ１２０６に送る。ステップ１２２８では、ソースＭＭＥ１２０６は、ハンドオーバコマンドをＦＤＤｅＮＢ１２０４に送る。ステップ１２３０では、ＦＤＤｅＮＢ１２０４は、ＲＲＣ接続再構成メッセージをＵＥ１２０２に送る。ステップ１２３１では、ＵＥ１２０２は、Ｅ−ＵＴＲＡＮへのハンドオーバが完了したことを示すメッセージをＴＤＤｅＮＢ１２１０に送る。したがって、ステップ１２３１の後で、ＵＥ１２０２はＴＤＤｅＮＢ１２１０に移動し、したがってハンドオーバを完了する。ステップ１２３２では、ＵＥ１２０２は、ＴＡＵ要求を（ターゲットｅＮＢ１１１０を介して）ターゲットＭＭＥ１２０８に送る。ＴＡＵ要求は、性能情報が更新される必要があることを示す。ステップ１２３４では、ターゲットＭＭＥ１２０８は、オプションでＴＡＵ受容メッセージによってＵＥ１２０２に応答することができる。ステップ１２３６では、ターゲットＭＭＥ１２０８は、性能情報がＵＥ１２０２に関して更新される必要があることをＴＤＤｅＮＢ１２１０に通知する。ステップ１２３８では、ＴＤＤｅＮＢ１２１０はＵＥ１２０２に性能情報に関して問い合わせる。ステップ１２４０では、ＵＥ１２０２はその性能情報をターゲットｅＮＢ１２１０に送る。ステップ１２４１では、ＴＤＤｅＮＢ１２１０は、ターゲットＭＭＥ１２０８にＵＥ１２０２から受信された性能情報を送る。ステップ１２４２では、ＴＤＤｅＮＢ１２１０は、更新された性能情報を使用してＲＲＣ接続を再構成することができる。
【００５５】
図１２では、ソースｅＮＢ１２０４はＦＤＤｅＮＢであり、ターゲットｅＮＢ１２１０はＴＤＤｅＮＢであるが、図１２と関連して説明された例としての方法は、ソースｅＮＢ１２０４がＴＤＤｅＮＢであり、ターゲットｅＮＢ１２１０がＦＤＤｅＮＢである場合に適用可能である。さらに、一般的に、図１２と関連して説明された例としての方法は、ＵＥがソースｅＮＢ１２０４と通信するための第１の性能のセット、およびターゲットｅＮＢ１２１０と通信するための第２の性能のセットを有する場合に適用可能である。さらに、図１２と関連して説明された例としての方法は、ＵＥが第１の性能のセットを有する第１のセルから第２の性能のセットを有する第２のセルに移動した場合に適用可能である。第１のセルは、ソースｅＮＢ１２０４に属していることができ、第２のセルはターゲットｅＮＢ１２１０に属していることができる。ｅＮＢ１２０４とｅＮＢ１２１０は異なることができる。あるいは、それらは同じｅＮＢであることができ、その場合ｅＮＢは複数のセルを有する。
【００５６】
図１３は、第７の例としての方法を示す図１３００である。ステップ１３１２では、ＵＥはＥＣＭ−ＣＯＮＮＥＣＴＥＤモードである。したがって、ＵＥ１３０２はＦＤＤｅＮＢ１３０４と通信する（たとえばユニキャスト、マルチキャスト、ブロードキャスト）。ステップ１３１８では、ＦＤＤｅＮＢ１３０４はＵＥ１３０２がＴＤＤｅＮＢ１３１０に引き渡される必要があると判定し、したがってＦＤＤｅＮＢ１３０４は、ハンドオーバに必要なメッセージをソースＭＭＥ１３０６に送り、そのＭＭＥはＦＤＤｅＮＢ１３０４に関するＭＭＥである。ハンドオーバに必要なメッセージは、以前に受信したＦＤＤ性能情報を含む。ステップ１３２０では、ソースＭＭＥ１３０６は、ターゲットＭＭＥ１３０８がソースＭＭＥ１３０６とは異なるＭＭＥであることを想定して、ターゲットＭＭＥ１３０８にフォワードリロケーション要求メッセージを送る。フォワードリロケーション要求メッセージはＦＤＤ性能情報を含む。ステップ１３２２では、ターゲットＭＭＥ１３０８は、ハンドオーバ要求をＴＤＤｅＮＢ１３１０に送る。ハンドオーバ要求は、ＦＤＤ性能情報を含む。ステップ１３２４では、ＴＤＤｅＮＢ１３１０は、ハンドオーバ要求肯定応答によってターゲットＭＭＥ１３０８に応答する。ＴＤＤｅＮＢ１３１０は、受信したＦＤＤ性能情報ではなく最小／共通の性能のセットに基づいてハンドオーバ要求肯定応答を構築する。ＴＤＤｅＮＢ１３１０は、そのハンドオーバ要求肯定応答が最小／共通の性能のセットに基づくことを判定する前に、ＵＥ１３０２がＦＤＤ性能とは異なるＴＤＤ性能を有するかどうかを判定する。ＴＤＤｅＮＢ１３１０は、ＵＥ１３０２が、ＵＥのＦＤＤ性能がＵＥのＴＤＤ性能とは異なることを示すフラグを設定したかどうかを判定することによってこの情報を取得することができる。フラグは、ＴＤＤ／ＦＤＤ性能の違いを示すために定義された新規の性能またはＦＧＩによって設定され得る。たとえば、ＵＥ１３０２が、そのＴＤＤ性能がＦＤＤ性能と同じであることを示す場合、ＴＤＤｅＮＢ１３１０は受信されたＦＤＤ性能に基づいてハンドオーバ要求肯定応答を構築することができるが、ＵＥ１３０２が、そのＴＤＤ性能がＦＤＤ性能とは異なることを示す場合、またはＵＥ性能が送信されなかった場合、ＴＤＤｅＮＢ１３１０はすべてのＵＥに共通の最小の性能のセットに基づいてハンドオーバ要求肯定応答を構築することができる。最小の性能のセットは、アクティブサービスに基づくものであることができる。たとえば、音声および接続されたモードのモビリティが可能なＵＥは、所定の性能のセットをサポートする必要がある可能性がある。ステップ１３２６では、ターゲットＭＭＥ１３０８は、ソースＭＭＥ１３０６にフォワードリロケーション応答メッセージを送る。ステップ１３２８では、ソースＭＭＥ１３０６は、ハンドオーバコマンドをＦＤＤｅＮＢ１３０４にハンドオーバコマンドを送る。ステップ１３３０では、ＦＤＤｅＮＢ１３０４は、ＲＲＣ接続再構成メッセージをＵＥ１３０２に送る。ステップ１３３１では、ＵＥ１３０２は、Ｅ−ＵＴＲＡＮへのハンドオーバが完了したことを示すメッセージをＴＤＤｅＮＢ１３１０に送る。したがって、ステップ１３３１の後に、ＵＥ１３０２はＴＤＤｅＮＢ１３１０に移動し、したがってハンドオーバを完了する。ステップ１３３８では、ＴＤＤｅＮＢ１３１０は、ＵＥ１３０２にその性能情報に関して問い合わせる。ステップ１３４０では、ＵＥ１３０２は、その性能情報をターゲットｅＮＢ１３１０に送る。ステップ１３４１では、ＴＤＤｅＮＢ１３１０は、ターゲットＭＭＥ１３０８にＵＥ１３０２から受信された性能情報を送る。ステップ１３４２では、ＴＤＤｅＮＢ１３１０は、更新された性能情報を使用してＲＲＣ接続を再構成することができる。
【００５７】
図１３では、ソースｅＮＢ１３０４はＦＤＤｅＮＢであり、ターゲットｅＮＢ１３１０はＴＤＤｅＮＢであるが、図１３と関連して説明された例としての方法は、ソースｅＮＢ１３０４がＴＤＤｅＮＢであり、ターゲットｅＮＢ１３１０がＦＤＤｅＮＢである場合に適用可能である。さらに、一般的に、図１３と関連して説明された例としての方法は、ＵＥがソースｅＮＢ１３０４と通信するための第１の性能のセット、およびターゲットｅＮＢ１３１０と通信するための第２の性能のセットを有する場合に適用可能である。さらに、図１３と関連して説明された例としての方法は、ＵＥが第１の性能のセットを有する第１のセルから第２の性能のセットを有する第２のセルに移動した場合に適用可能である。第１のセルは、ソースｅＮＢ１３０４に属していることができ、第２のセルはターゲットｅＮＢ１３１０に属していることができる。ｅＮＢ１３０４とｅＮＢ１３１０は異なることができる。あるいは、それらは同じｅＮＢであることができ、その場合ｅＮＢは複数のセルを有する。
【００５８】
図１４は、ワイヤレス通信の方法の流れ図１４００である。方法はＵＥによって行われ得る。ステップ１４０２では、ＵＥは第１のセルから第２のセルに移動する。ＵＥは、第１のセルと通信するための第１の性能のセット、および第２のセルと通信するための第２の性能のセットを有することができる。ステップ１４０４では、ＵＥは、第１の性能のセットと第２の性能のセットが異なるかどうか、および第１のセルまたは第２のセルが第２の性能のセットに関して問い合わせたかどうかを判定する。ステップ１４０６では、ＵＥは、オプションでデタッチし、またはローカルのデタッチを行った後に第１の性能のセットと第２の性能のセットが異なること、および第１のセルおよび第２のセルが第２の性能のセットに関して問い合わせなかったことを判定すると、第２のセルに第２の性能のセットに関して問い合わせをさせるために第２のセルと関連付けられたネットワークエンティティ（たとえばＭＭＥ）に再アタッチする。
【００５９】
図１５は、例としての装置における異なるモジュール／手段／構成要素の間のデータフローを示す概念データフロー図１５００である。装置は、第１のセル１５４０から第２のセル１５５０への移動を処理する通信モジュール１５０８を含む。装置は、第１のセル１５４０と通信するための第１の性能のセット、および第２のセル１５５０と通信する第２の性能のセットを記憶する性能記憶モジュール１５０２をさらに含む。装置は、第１の性能のセットと第２の性能のセットが異なるかどうか、および第２の性能のセットに関して、第１のセル１５４０が問い合わせた（または問い合わせる）か（１５１０）、または第２のセル１５５０が問い合わせたか（または問い合わせる）か（１５１２）を判定する性能差異および問い合わせ判定モジュール１５０４をさらに含む。装置は、第１の性能のセットと第２の性能のセットが異なること、および第１のセル１５４０および第２のセル１５５０が第２の性能のセットに関して問い合わせなかった（または問い合わせない）ことを判定すると、第２のセル１５５０に第２の性能のセットに関して問い合わせをさせる（１５１２）ために第２のセル１５５０と関連付けられたネットワークエンティティ（たとえばＭＭＥ）に再アタッチするデタッチ／アッタッチモジュール１５０６をさらに含む。通信モジュール１５０８は、第２の性能のセットに関する第２のセル１５５０からの問い合わせを受信し（１５１２）、第２の性能のセットを第２のセル１５５０に送る（１５１４）。
【００６０】
装置は、前述の流れ図（複数可）のアルゴリズムの各ステップを行う追加のモジュールを含み得る。したがって、前述の流れ図（複数可）の各ステップは、モジュールによって行われてもよく、装置はそれらのモジュールのうちの１つまたは複数を含み得る。モジュールは、上記のプロセス／アルゴリズムを行うように構成されたプロセッサによって実行される、プロセッサによって実施するためのコンピュータ可読媒体内に記憶された、またはそれらの何らかの組合せの、上記のプロセス／アルゴリズムを実施するように特に構成された１つまたは複数のハードウェア構成要素であることができる。
【００６１】
図１６は、処理システム１６１４を利用する装置１００’に関するハードウェア実装形態の一例を示す図である。処理システム１６１４は、バス１６２４によって全体的に表されるバスアーキテクチャによって実装され得る。バス１６２４は、処理システム１６１４の具体的な用途および全体的な設計上の制約に応じて、任意の数の相互接続するバスおよびブリッジを含み得る。バス１６２４は、プロセッサ１６０４、モジュール１５０２、１５０４、１５０６、１５０８およびコンピュータ可読媒体１６０６によって表される１つまたは複数のプロセッサおよび／またはハードウェアモジュールを含む様々な回路を互いに接続する。バス１６２４は、タイミングソース、周辺装置、電圧調整器、および電源管理回路などの様々なその他の回路も接続することができるが、それらは当分野でよく知られており、したがってこれ以上説明しない。
【００６２】
処理システム１６１４は、送受信機１６１０に接続され得る。送受信機１６１０は、１つまたは複数のアンテナ１６２０に接続される。送受信機１６１０は、伝送媒体によって様々なその他の装置と通信する手段を提供する。処理システム１６１４は、コンピュータ可読媒体１６０６に接続されたプロセッサ１６０４を含む。プロセッサ１６０４は、コンピュータ可読媒体１６０６に記憶されたソフトウェアの実行を含む一般的な処理を行う役割を果たす。ソフトウェアは、プロセッサ１６０４によって実行されると、処理システム１６１４にすべての特定の装置に関して上記に説明した様々な機能を行わせる。コンピュータ可読媒体１６０６は、ソフトウェアを実行する場合にプロセッサ１６０４によって操作されるデータを記憶するためにも使用され得る。処理システムは、モジュール１５０２、１５０４、１５０６、および１５０８のうちの少なくとも１つをさらに含む。モジュールは、プロセッサ１６０４で実行され、コンピュータ可読媒体１６０６に常駐する／記憶されるソフトウェアモジュール、プロセッサ１６０４に接続された１つまたは複数のハードウェアモジュール、またはそれらの何らかの組合せであることができる。処理システム１６１４は、ＵＥ６５０の構成要素であることができ、メモリ６６０および／またはＴＸプロセッサ６６８、ＲＸプロセッサ６５６、およびコントローラ／プロセッサ６５９のうちの少なくとも１つを含み得る。
【００６３】
１つの構成では、ワイヤレス通信用の装置１００／１００’は、第１のセルから第２のセルに移動するための手段を含む。ＵＥは、第１のセルと通信するための第１の性能のセット、および第２のセルと通信するための第２の性能のセットを有する。装置は、第１の性能のセットと第２の性能のセットが異なるかどうか、および第１のセルまたは第２のセルが第２の性能のセットに関して問い合わせたかどうかを判定する手段をさらに含む。装置は、第１の性能のセットと第２の性能のセットが異なること、および第１のセルおよび第２のセルが第２の性能のセットに関して問い合わせなかったことを判定すると、第２のセルに第２の性能のセットに関して問い合わせをさせるために第２のセルと関連付けられたネットワークエンティティに再アタッチする手段をさらに含む。
【００６４】
前述の手段は、装置１００の前述のモジュールのうちの１つまたは複数、および／または前述の手段によって提唱された機能を行うように構成された装置１００’の処理システム１６１４であることができる。上記に説明されたように、処理システム１６１４は、ＴＸプロセッサ６６８と、ＲＸプロセッサ６５６と、コントローラ／プロセッサ６５９とを含み得る。したがって、１つの構成では、前述の手段は、前述の手段によって提唱された機能を行うように構成されたＴＸプロセッサ６６８、ＲＸプロセッサ６５６、およびコントローラ／プロセッサ６５９であることができる。
【００６５】
図１７は、ワイヤレス通信の方法の流れ図１７００である。方法はＵＥによって行われ得る。ステップ１７０２では、ＵＥは第１のセルからの第１の性能のセットに関する照会を受信することができる。第１の性能のセットは第１のセルと通信するためのものである。ステップ１７０４では、ＵＥは第１の性能のセットを第１のセルに送信する。ステップ１７０６では、ＵＥは第１のセルからの情報に関する照会を受信することができる。ステップ１７０８では、ＵＥは、第２の性能のセットと関連付けられた情報を第１のセルに送信する。第２の性能のセットは、第２のセルと通信するためのものである。ステップ１７１０では、ＵＥは第１のセルから第２のセルに移動する。ステップ１７１２では、ＵＥは、送信された情報に基づいて第２のセルと通信する。
【００６６】
１つの構成では、ＵＥが第１の性能のセットを第１のセルに送信する場合、ＵＥは、第１の性能のセットと同時に第２の性能のセットと関連付けられた情報を送信する。そのような構成では、ＵＥは第１のセルからの情報に関する照会（ステップ１７０６）を特に受信しなくてもよい。情報は、第２の性能のセット、または第２の性能のセットのうちの少なくとも１つのサブセットが第１の性能のセットのうちの少なくとも１つのサブセットと同じであるかどうかを示す少なくとも１ビットであることができる。たとえば、図８を参照すると、第１の性能のセットはＦＤＤ性能であることができ、第２の性能のセットはＴＤＤ性能であることができる。情報は、ＴＤＤ性能またはＴＤＤビット（複数可）インジケータであることができる。図８に示されるように、ＵＥ８０６は、ＦＤＤ性能を提供し（８０８）、かつＴＤＤ性能またはＴＤＤビット（複数可）インジケータをＦＤＤｅＮＢ８０２に提供する（８１０）。別の例では、図１１を参照すると、ステップ１１１４では、ＵＥ１１０２は第２の性能のセットと関連付けられた情報に関する特定の照会を受信し、ステップ１１１６では、ＵＥ１１０２は第２の性能のセットと関連付けられた情報をソースｅＮＢ１１０４に送信し、ステップ１１３２では、ＵＥは（ハンドオーバのとき）ソースｅＮＢ１１０４からターゲットｅＮＢ１１１０に移動する。その後、ＵＥ１１０２は、情報に基づいてターゲットｅＮＢ１１１０と通信する。
【００６７】
少なくとも１ビットが、送信された第１の性能のセット内の性能に送信され得る。１つの構成では、第１の性能のセットはＦＤＤ通信と関連付けられた性能を含むことができ、第２の性能のセットはＴＤＤ通信と関連付けられた性能を含み得る。１つの構成では、第１の性能のセットはＴＤＤ通信と関連付けられた性能を含むことができ、第２の性能のセットはＦＤＤ通信と関連付けられた性能を含むことができる。第１および第２のセル／セクタは、同じｅＮＢに属していてもよい。あるいは、第１のセルは第１のｅＮＢに属していることができ、第２のセルは第１のｅＮＢとは異なる第２のｅＮＢに属していることができる。第１のｅＮＢおよび第２のｅＮＢは、同じネットワークに属し、または異なるネットワークに属している。
【００６８】
図１８は、ワイヤレス通信の方法の流れ図１８００である。方法はソースセルによって行われ得る。ステップ１８０２では、ソースセルは、ＵＥがソースセルからターゲットセルへハンドオーバされることを決定する。ステップ１８０４では、ソースセルは、ターゲットセルと通信するためにＵＥによって使用される１性能のセットに関してＵＥに照会を送信する。ステップ１８０６では、ソースセルは、ＵＥからの性能のセットを受信する。ステップ１８０８では、ソースセルは、性能のセットをターゲットセルに提供する。照会は、性能のセットがターゲットセルと通信するためのものであることを示すことができる。
【００６９】
たとえば、図１１を参照すると、ソースｅＮＢ１１０４が、ＵＥ１１０２がソースｅＮＢ１１０４からターゲットｅＮＢ１１１０に移動する必要があることを決定した後に、ステップ１１１４で、ソースｅＮＢ１１０４がターゲットｅＮＢ１１１０と通信するための１１０２によって使用される性能のセットに関してＵＥ１１０２に照会を送信する。ステップ１１１６では、ソースｅＮＢ１１０４は、ＵＥ１１０２からの性能のセットを受信する。ステップ１１１８では、ソースｅＮＢ１１０４は性能のセットをソースＭＭＥ１１０６に提供し、ソースＭＭＥ１１０６は（ステップ１１２０で）性能のセットをターゲットＭＭＥ１１０８に提供し、ターゲットＭＭＥ１１０８は（ステップ１１２２で）ターゲットＭＭＥ１１０８は性能のセットをターゲットｅＮＢ１１１０に提供する。
【００７０】
図１９は、ワイヤレス通信の方法の流れ図１９００である。方法はターゲットセルによって行われ得る。ステップ１９０２では、ターゲットセルは、ソースセルからターゲットセルへのＵＥのハンドオーバのためにネットワークエンティティからのハンドオーバ要求を受信する。ハンドオーバ要求は、ソースセルと関連付けられた第１の性能のセットを含む。ステップ１９０４では、ターゲットセルは、第１の性能のセットがターゲットセルと関連付けられた第２の性能のセットと異なる場合にハンドオーバ要求肯定応答を構築するための性能のセットを決定する。性能のセットは、第２の性能のセットのサブセットである。ステップ１９０６では、ターゲットセルは、性能のセットに基づいてハンドオーバ要求肯定応答を構築する。ステップ１９０８では、ターゲットセルは、ネットワークエンティティにハンドオーバ要求肯定応答を送信する。ステップ１９１０では、ターゲットセルは、第２の性能のセットに関してＵＥに性能照会を送信するかどうかを決定する。ステップ１９１２でターゲットセルが第２の性能のセットに関してＵＥに性能照会を送信することを決定すると、ターゲットセルは第２の性能のセットをＵＥから受信する。
【００７１】
１つの構成では、ターゲットセルは、ＵＥをターゲットセルへハンドオーバするときに第２の性能のセットに関してＵＥに性能照会を送信する。次いで、ターゲットセルは、第２の性能のセットをＵＥから受信する。１つの構成では、ハンドオーバ要求は、ターゲットセルと関連付けられた第２の性能のセットのうちの少なくとも１つのサブセットが、第１の性能のセットのうちの少なくとも１つのサブセットと同じであるかどうかの表示を含み得る。そのような構成では、性能のセットは、表示に基づいて決定されうる。１つの構成では、ターゲットセルは、第２の性能のセットのうちの少なくとも１つのサブセットが第１の性能のセットのうちの少なくとも１つのサブセットと異なること、または第２の性能のセットのうちの少なくとも１つのサブセットが第１の性能のセットのうちの少なくとも１つのサブセットと同じであり、第２の性能のセットのうちの少なくとも１つのサブセットが第２の性能のセットのうちのすべてを含まないことを表示が示す場合、第２の性能のセットに関してＵＥに性能照会を送信する。ターゲットセルは、第２の性能のセットをＵＥから受信する。
【００７２】
たとえば、図１３を参照すると、ステップ１３２２では、ターゲットｅＮＢ１３１０はハンドオーバ要求を受信する。ハンドオーバ要求は、ソースｅＮＢ１３０４と関連付けられた第１の性能のセットを含む。ターゲットｅＮＢ１３１０は、第１の性能のセットがターゲットセルと関連付けられた第２の性能のセットと異なる場合にハンドオーバ要求肯定応答を構築するための性能のセットを決定する。性能のセットは、第２の性能のセットのサブセットである。ターゲットセルは、性能のセットに基づいてハンドオーバ要求肯定応答を構築する。ステップ１３２４では、ターゲットセルは、ネットワークエンティティにハンドオーバ要求肯定応答を送信する。ステップ１３３８の前に、ターゲットｅＮＢ１３１０は、第２の性能のセットに関してＵＥ１３０２に性能照会を送信するかどうかを決定する。ターゲットｅＮＢ１３１０が第２の性能のセットに関してＵＥ１３０２に性能照会を送信することを決定した（ステップ１３３８）場合、ターゲットｅＮＢは（ステップ１３４０で）第２の性能のセットをＵＥ１３０２から受信する。
【００７３】
図２０は、ワイヤレス通信の方法の流れ図２０００である。方法はＵＥによって行われ得る。ステップ２００２では、ＵＥは、セルと接続した状態にある間にネットワークエンティティにＴＡＵ要求を送信する。ＴＡＵ要求は、セルと通信するための性能が更新される必要があることを示す。ステップ２００４では、ＵＥは、ＴＡＵ受容メッセージをネットワークエンティティから受信する。ステップ２００６では、ＵＥは、ネットワークエンティティと関連付けられた基地局からＲＲＣ接続解放メッセージを受信すると、アイドル状態に移行する。ＵＥは、ＲＲＣ接続解放メッセージを受信するとすぐに、接続された状態からアイドル状態に移行することができる。
【００７４】
たとえば、図９を参照すると、ステップ９１０で、ＵＥ９０２はｅＮＢ９０４と接続した状態にある間にＭＭＥ９０６にＴＡＵ要求を送信する。ＴＡＵ要求は、ｅＮＢ９０４と通信するための性能が更新される必要があることを示す。ステップ９１４では、ＵＥは、ＴＡＵ受容メッセージをＭＭＥ９０６から受信する。ステップ９１６の後に、ＵＥ９０２はＭＭＥ９０６からＲＲＣ接続解放メッセージを受信するとアイドル状態に移行する。ＵＥ９０２は、ＲＲＣ接続解放メッセージを受信するとすぐに、接続された状態からアイドル状態に移行することができる。
【００７５】
図２１は、ワイヤレス通信の方法の流れ図２１００である。方法は、ＭＭＥ９０６またはターゲットＭＭＥ１２１０などのネットワークエンティティによって行われ得る。ステップ２１０２では、ネットワークエンティティは、ＵＥがセルと接続した状態にある間にＵＥからＴＡＵ要求を受信する。ＴＡＵ要求は、セルと通信するための性能が更新される必要があることを示す。ステップ２１０４では、ネットワークエンティティは、ＴＡＵ受容メッセージをＵＥに送信する。ステップ２１０６では、ネットワークエンティティがＲＲＣ接続解放メッセージを送信し、ＵＥが音声通話中である場合、ステップ２１０８が行われ、そのステップではＵＥが音声通話中でなくなるまでネットワークエンティティがＲＲＣ接続解放メッセージの送信を遅らせる。そうでなければ、ネットワークエンティティは、ＴＡＵ受容メッセージを送信すると、またＴＡＵ要求に応答して、ＵＥに対する接続を解放するためにＵＥコンテキスト解放メッセージのうちの１つをセルを制御する基地局に送信し、または性能が更新される必要があることを示すメッセージをセルを制御する基地局に送信する。
【００７６】
たとえば、図９を参照すると、ステップ９１０で、ＭＭＥ９０６はＵＥ９０２がｅＮＢ９０４と接続した状態にある間に、ＵＥ９０２から（ｅＮＢ９０４を介して）ＴＡＵ要求を受信する。ＴＡＵ要求は、ｅＮＢ９０４と通信するための性能が更新される必要があることを示す。ステップ９１４では、ＭＭＥ９０６は、ＴＡＵ受容メッセージを（ｅＮＢ９０４を介して）ＵＥ９０２に送信する。ＵＥ９０２が音声通話中である場合、ＭＭＥ９０６はステップ９１６においてＵＥ９０２が音声通話中でなくなるまでＵＥコンテキスト解放メッセージの送信を遅らせる。別の例では、図１２を参照すると、ステップ１２３２で、ターゲットＭＭＥ１２０８ＵＥ１２０２がターゲットｅＮＢ１２１０と接続した状態にある間に、ＵＥ１２０２から（ターゲットｅＮＢ１２１０を介して）ＴＡＵ要求を受信する。ＴＡＵ要求は、ターゲットｅＮＢ１２１０と通信するための性能が更新される必要があることを示す。ステップ１２３４では、ターゲットＭＭＥ１２０８は、ＴＡＵ受容メッセージを（ターゲットｅＮＢ１２１０を介して）ＵＥ１２０２に送信する。それに続いて、ステップ１２３６では、ターゲットＭＭＥ１２０８は性能が更新される必要があることを示すメッセージをターゲットｅＮＢ１２１０に送信する。
【００７７】
図２２は、例としての装置１０１における異なるモジュール／手段／構成要素の間のデータフローを示す概念データフロー図２２００である。装置は、第１のセル２２４０と通信するための第１の性能のセット、および第２のセル２２５０と通信するための第２の性能のセットを記憶するように構成された性能記憶モジュール２２０２を含む。装置は、第１の性能のセットを第１のセル２２４０に送信する（２２１２）ように構成された通信モジュール２２０４をさらに含む。通信モジュール２２０４は、第２の性能のセットと関連付けられた情報を第１のセル２２４０に送信する（２２１４）ようにも構成されている。通信モジュール２２０４は、第１のセル２２４０から第２のセル２２５０に通信を移動するように構成される。通信モジュール２２０４は、送信された情報に基づいて第２のセル２２５０と通信するように構成される。
【００７８】
装置は、図１７の前述の流れ図でのアルゴリズムの各ステップを行うさらなるモジュールを含み得る。したがって、図１７の前述の流れ図での各ステップは、モジュールによって行われ、装置は１つまたは複数のそれらのモジュールを含むことができる。モジュールは、上記のプロセス／アルゴリズムを行うように構成されたプロセッサによって実行される、プロセッサによって実施するためのコンピュータ可読媒体内に記憶された、またはそれらの何らかの組合せの、上記のプロセス／アルゴリズムを実施するように特に構成された１つまたは複数のハードウェア構成要素であることができる。
【００７９】
図２３は、処理システム２３１４を利用する装置１０１’に関するハードウェア実装形態の一例を示す図２３００である。処理システム２３１４は、バス２３２４によって全体的に表されるバスアーキテクチャによって実装され得る。バス２３２４は、処理システム２３１４の具体的な用途および全体的な設計上の制約に応じて、任意の数の相互接続するバスおよびブリッジを含み得る。バス２３２４は、プロセッサ２３０４、モジュール２２０２、２２０４、およびコンピュータ可読媒体２３０６によって表される１つまたは複数のプロセッサおよび／またはハードウェアモジュールを含む様々な回路を互いに接続する。バス２３２４は、タイミングソース、周辺装置、電圧調整器、および電源管理回路などの様々なその他の回路も接続することができるが、それらは当分野でよく知られており、したがってこれ以上説明しない。
【００８０】
処理システム２３１４は、送受信機２３１０に接続され得る。送受信機２３１０は、１つまたは複数のアンテナ２３２０に接続される。送受信機２３１０は、伝送媒体によって様々なその他の装置と通信する手段を提供する。処理システム２３１４は、コンピュータ可読媒体２３０６に接続されたプロセッサ２３０４を含む。プロセッサ２３０４は、コンピュータ可読媒体２３０６に記憶されたソフトウェアの実行を含む一般的な処理を行う役割を果たす。ソフトウェアは、プロセッサ２３０４によって実行されると、処理システム２３１４にすべての特定の装置に関して上記に説明した様々な機能を行わせる。コンピュータ可読媒体２３０６は、ソフトウェアを実行する場合にプロセッサ２３０４によって操作されるデータを記憶するためにも使用され得る。処理システムは、モジュール２２０２、２２０４のうちの少なくとも１つをさらに含む。モジュールは、プロセッサ２３０４で実行され、コンピュータ可読媒体２３０６に常駐する／記憶されるソフトウェアモジュール、プロセッサ２３０４に接続された１つまたは複数のハードウェアモジュール、またはそれらの何らかの組合せであることができる。処理システム２３１４は、ＵＥ６５０の構成要素であることができ、メモリ６６０および／またはＴＸプロセッサ６６８、ＲＸプロセッサ６５６、およびコントローラ／プロセッサ６５９のうちの少なくとも１つを含むことができる。
【００８１】
１つの構成では、ワイヤレス通信用の装置１０１／１０１’は、第１の性能のセットを第１のセルに送信するための手段を含む。第１の性能のセットは第１のセルと通信するためのものである。装置は、第２の性能のセットと関連付けられた情報を第１のセルに送信するための手段をさらに含む。第２の性能のセットは、第２のセルと通信するためのものである。装置は、第１のセルから第２のセルに通信を移動するための手段をさらに含む。装置は、送信された情報に基づいて第２のセルと通信するための手段をさらに含む。
【００８２】
装置は、第１のセルから第１の性能のセットに関する照会を受信するための手段をさらに含むことができる。第１の性能のセットおよび第２の性能のセットと関連付けられた情報は、受信した照会に応答して同時に送信され得る。装置は、第１のセルから情報に関する照会を受信するための手段をさらに含むことができる。情報は、受信された照会に応答して送信され得る。
【００８３】
前述の手段は、装置１０１の前述のモジュールのうちの１つまたは複数、および／または前述の手段によって提唱された機能を行うように構成された装置１０１’の処理システム２３１４であることができる。上記に説明されたように、処理システム２３１４は、ＴＸプロセッサ６６８と、ＲＸプロセッサ６５６と、コントローラ／プロセッサ６５９とを含むことができる。したがって、１つの構成では、前述の手段は、前述の手段によって提唱された機能を行うように構成されたＴＸプロセッサ６６８、ＲＸプロセッサ６５６、およびコントローラ／プロセッサ６５９であることができる。
【００８４】
図２４は、例としてのソースセル装置１０２における異なるモジュール／手段／構成要素の間のデータフローを示す概念データフロー図２４００である。ソースセルは、ターゲットセル２４４０と通信するためのＵＥ２４３０によって使用される性能のセットを記憶するように構成された性能記憶モジュール２４０２を含む。ソースセルは、ＵＥ２４３０がソースセルからターゲットセル２４４０にハンドオーバされることを決定するように構成されたハンドオーバ決定モジュール２４０４をさらに含む。ソースセルは、ターゲットセル２４４０と通信するためのＵＥ２４３０によって使用される性能のセットのためのＵＥ２４３０に照会を送信する（２４１４）ように構成された通信モジュール２４０６をさらに含む。通信モジュール２４０６は、ＵＥ２４３０から性能のセットを受信する（２４１６）ようにさらに構成される。通信モジュール２４０６は、ターゲットセル２４４０に性能のセットを提供する（２４１８）ようにさらに構成される。
【００８５】
装置は、図１８の前述の流れ図でのアルゴリズムの各ステップを行うさらなるモジュールを含み得る。したがって、図１８の前述の流れ図の各ステップは、モジュールによって行われてもよく、装置はそれらのモジュールのうちの１つまたは複数を含んでもよい。モジュールは、上記のプロセス／アルゴリズムを行うように構成されたプロセッサによって実行される、プロセッサによって実施するためのコンピュータ可読媒体内に記憶された、またはそれらの何らかの組合せの、上記のプロセス／アルゴリズムを実施するように特に構成された１つまたは複数のハードウェア構成要素であることができる。
【００８６】
図２５は、処理システム２５１４を利用する装置１０２’に関するハードウェア実装形態の一例を示す図２５００である。処理システム２５１４は、バス２５２４によって全体的に表されるバスアーキテクチャによって実行され得る。バス２５２４は、処理システム２５１４の具体的な用途および全体的な設計上の制約に応じて、任意の数の相互接続するバスおよびブリッジを含み得る。バス２５２４は、プロセッサ２５０４、モジュール２４０２、２４０４、２４０６．およびコンピュータ可読媒体２５０６によって表される１つまたは複数のプロセッサおよび／またはハードウェアモジュールを含む様々な回路を互いに接続する。バス２５２４は、タイミングソース、周辺装置、電圧調整器、および電源管理回路などの様々なその他の回路も接続することができるが、それらは当分野でよく知られており、したがってこれ以上説明しない。
【００８７】
処理システム２５１４は、送受信機２５１０に接続され得る。送受信機２５１０は、１つまたは複数のアンテナ２５２０に接続される。送受信機２５１０は、伝送媒体によって様々なその他の装置と通信する手段を提供する。処理システム２５１４は、コンピュータ可読媒体２５０６に接続されたプロセッサ２５０４を含む。プロセッサ２５０４は、２５０６に記憶されたソフトウェアの実行を含む一般的な処理を行う役割を果たす。ソフトウェアは、プロセッサ２５０４によって実行されると、処理システム２５１４にすべての特定の装置に関して上記に説明した様々な機能を行わせる。コンピュータ可読媒体２５０６は、ソフトウェアを実行する場合にプロセッサ２５０４によって操作されるデータを記憶するためにも使用され得る。処理システムは、モジュール２４０２、２４０４、および２４０６のうちの少なくとも１つをさらに含む。モジュールは、プロセッサ２５０４で実行され、コンピュータ可読媒体２５０６に常駐する／記憶されるソフトウェアモジュール、プロセッサ２５０４に接続された１つまたは複数のハードウェアモジュール、またはそれらの何らかの組合せであることができる。処理システム２５１４は、ｅＮＢ６１０の構成要素であることができ、メモリ６７６および／またはＴＸプロセッサ６１６、ＲＸプロセッサ６７０、およびコントローラ／プロセッサ６７５のうちの少なくとも１つを含むことができる。
【００８８】
１つの構成では、ワイヤレス通信のための装置１０２／１０２’は、ＵＥがソースセルからターゲットセルにハンドオーバされることを決定する手段と、ターゲットセルと通信するためのＵＥによって使用される性能のセットに関するＵＥへの照会を送信するための手段と、ＵＥから性能のセットを受信するための手段と、性能のセットをターゲットセルに提供するための手段とを含む。
【００８９】
前述の手段は、装置１０２の前述のモジュールのうちの１つまたは複数、および／または前述の手段によって提唱された機能を行うように構成された装置１０２’の処理システム２５１４であることができる。上記に説明されたように、処理システム２５１４は、ＴＸプロセッサ６１６と、ＲＸプロセッサ６７０と、コントローラ／プロセッサ６７６とを含むことができる。したがって、１つの構成では、前述の手段は、前述の手段によって提唱された機能を行うように構成されたＴＸプロセッサ６１６、ＲＸプロセッサ６７０、およびコントローラ／プロセッサ６７５であることができる。
【００９０】
図２６は、例としてのターゲットセル装置１０３における異なるモジュール／手段／構成要素の間のデータフローを示す概念データフロー図２６００である。ターゲットセルは、ソースセルからターゲットセルへのＵＥのハンドオーバのためにネットワークエンティティ２６５０からのハンドオーバ要求を受信する（２６１２）ように構成されたハンドオーバ要求受信モジュール２６０２を含む。ハンドオーバ要求は、ソースセルと関連付けられた第１の性能のセットを含む。ターゲットセルは、第１の性能のセットがターゲットセルと関連付けられた第２の性能のセットと異なる場合にハンドオーバ要求肯定応答を構築するための性能のセットを決定するように構成された性能セット決定モジュール２６０４をさらに含む。性能のセットは、第２の性能のセットのサブセットである。ターゲットセルは、性能のセットに基づいてハンドオーバ要求肯定応答を構築するように構成されたハンドオーバ要求肯定応答構築モジュール２６０６をさらに含む。ターゲットセルは、ハンドオーバ要求肯定応答をネットワークエンティティ２６５０に送信する（２６１４）ように構成されたハンドオーバ要求肯定応答送信モジュール２６０８をさらに含む。
【００９１】
装置は、図１９の前述の流れ図でのアルゴリズムの各ステップを行うさらなるモジュールを含み得る。したがって、図１９の前述の流れ図の各ステップは、モジュールによって行われてもよく、装置はそれらのモジュールのうちの１つまたは複数を含んでもよい。モジュールは、上記のプロセス／アルゴリズムを行うように構成されたプロセッサによって実行される、プロセッサによって実施するためのコンピュータ可読媒体内に記憶された、またはそれらの何らかの組合せの、上記のプロセス／アルゴリズムを実施するように特に構成された１つまたは複数のハードウェア構成要素であることができる。
【００９２】
図２７は、処理システム２７１４を利用する装置１０３’に関するハードウェア実装形態の一例を示す図２７００である。図２７は、処理システム２７１４を利用する装置１０３’に関するハードウェア実装形態の一例を示す図２７００である。図２７は、処理システム２７１４を利用する装置１０３’に関するハードウェア実装形態の一例を示す図２７００である。バス２７２４は、プロセッサ２７０４、モジュール２６０２、２６０４、２６０６、２６０８およびコンピュータ可読媒体２７０６によって表される１つまたは複数のプロセッサおよび／またはハードウェアモジュールを含む様々な回路を互いに接続する。バス２７２４は、タイミングソース、周辺装置、電圧調整器、および電源管理回路などの様々なその他の回路も接続することができるが、それらは当分野でよく知られており、したがってこれ以上説明しない。
【００９３】
処理システム２７１４は、送受信機２７１０に接続され得る。送受信機２７１０は、１つまたは複数のアンテナ２７２０に接続される。送受信機２７１０は、伝送媒体によって様々なその他の装置と通信する手段を提供する。送受信機２７１０は、伝送媒体によって様々なその他の装置と通信する手段を提供する。プロセッサ２７０４は、コンピュータ可読媒体２７０６に記憶されたソフトウェアの実行を含む一般的な処理を行う役割を果たす。ソフトウェアは、プロセッサ２７０４によって実行されると、処理システム２７１４にすべての特定の装置に関して上記に説明した様々な機能を行わせる。コンピュータ可読媒体２７０６は、ソフトウェアを実行する場合にプロセッサ２７０４によって操作されるデータを記憶するためにも使用され得る。処理システムは、モジュール２６０２、２６０４、２６０６、および２６０８のうちの少なくとも１つをさらに含む。モジュールは、プロセッサ２７０４で実行され、コンピュータ可読媒体２７０６に常駐する／記憶されるソフトウェアモジュール、プロセッサ２７０４に接続された１つまたは複数のハードウェアモジュール、またはそれらの何らかの組合せであることができる。モジュールは、プロセッサ２７０４で実行され、コンピュータ可読媒体２７０６に常駐する／記憶されるソフトウェアモジュール、プロセッサ２７０４に接続された１つまたは複数のハードウェアモジュール、またはそれらの何らかの組合せであることができる。
【００９４】
１つの構成では、ワイヤレス通信のための装置１０３／１０３’は、ソースセルからターゲットセルのＵＥのハンドオーバのためのネットワークエンティティからのハンドオーバ要求を受信するための手段を含む。ハンドオーバ要求は、ソースセルと関連付けられた第１の性能のセットを含む。装置は、第１の性能のセットがターゲットセルと関連付けられた第２の性能のセットと異なる場合にハンドオーバ要求肯定応答を構築するための性能のセットを決定するための手段をさらに含む。性能のセットは、第２の性能のセットのサブセットである。装置は、性能のセットに基づいてハンドオーバ要求肯定応答を構築するための手段をさらに含む。装置は、ハンドオーバ要求肯定応答をネットワークエンティティに送信するための手段をさらに含む。
【００９５】
装置は、ターゲットセルにＵＥをハンドオーバするときに第２の性能のセットに関してＵＥに性能照会を送信するための手段と、第２の性能のセットをＵＥから受信するための手段とをさらに含むことができる。１つの構成では、ハンドオーバ要求は、ターゲットセルと関連付けられた第２の性能のセットのうちの少なくとも１つのサブセットが、第１の性能のセットのうちの少なくとも１つのサブセットと同じであるかどうかの表示を含み、表示に基づいて性能のセットが決定される。そのような構成では、装置は、第２の性能のセットのうちの少なくとも１つのサブセットが第１の性能のセットのうちの少なくとも１つのサブセットと異なること、または第２の性能のセットのうちの少なくとも１つのサブセットが第１の性能のセットのうちの少なくとも１つのサブセットと同じであり、第２の性能のセットのうちの少なくとも１つのサブセットが第２の性能のセットのうちのすべてを含まないことを表示が示す場合、第２の性能のセットに関してＵＥに性能照会を送信するための手段、および第２の性能のセットをＵＥから受信するための手段をさらに含むことができる。
【００９６】
前述の手段は、装置１０３の前述のモジュールのうちの１つまたは複数、および／または前述の手段によって提唱された機能を行うように構成された装置１０３’の処理システム２７１４であることができる。上記に説明されたように、処理システム２７１４は、ＴＸプロセッサ６１６と、ＲＸプロセッサ６７０と、コントローラ／プロセッサ６７５とを含むことができる。したがって、１つの構成では、前述の手段は、前述の手段によって提唱された機能を行うように構成されたＴＸプロセッサ６１６、ＲＸプロセッサ６７０、およびコントローラ／プロセッサ６７５であることができる。
【００９７】
図２８は、例としてのＵＥ装置１０４における異なるモジュール／手段／構成要素の間のデータフローを示す概念データフロー図２８００である。ＵＥは、ターゲットセルと通信するための性能を記憶するように構成された性能記憶モジュール２８０２を含む。ＵＥは、セル（すなわち基地局２８５０のセクタ）と接続した状態にある間にＴＡＵ要求をネットワークエンティティ２８６０に送信する（２８１２）ように構成された通信モジュール２８０４をさらに含む。ＴＡＵ要求は、セルと通信するための性能が更新される必要があることを示す。通信モジュール２８０４は、ＴＡＵ受容メッセージをネットワークエンティティ２８６０から受信する（２８１４）ようにさらに構成される。通信モジュール２８０４は、ネットワークエンティティ２８６０と関連付けられた基地局２８５０からＲＲＣ接続解放メッセージを受信する（２８１６）と、アイドル状態に移行するようにさらに構成される。ＴＡＵ要求およびＴＡＵ受容メッセージはネットワークエンティティ２８６０に直接的に送信されているように示されるが、ＴＡＵ要求よびＴＡＵ受容メッセージは基地局２８５０を介して通信される。
【００９８】
装置は、図２０の前述の流れ図でのアルゴリズムの各ステップを行うさらなるモジュールを含み得る。したがって、図２０の前述の流れ図の各ステップは、モジュールによって行われてもよく、装置はそれらのモジュールのうちの１つまたは複数を含んでもよい。モジュールは、上記のプロセス／アルゴリズムを行うように構成されたプロセッサによって実行される、プロセッサによって実施するためのコンピュータ可読媒体内に記憶された、またはそれらの何らかの組合せの、上記のプロセス／アルゴリズムを実施するように特に構成された１つまたは複数のハードウェア構成要素であることができる。
【００９９】
図２９は、処理システム２９１４を利用する装置１０４’に関するハードウェア実装形態の一例を示す図２９００である。処理システム２９１４は、バス２９２４によって全体的に表されるバスアーキテクチャによって実行され得る。バス２９２４は、処理システム２９１４の具体的な用途および全体的な設計上の制約に応じて、任意の数の相互接続するバスおよびブリッジを含み得る。バス２９２４は、プロセッサ２９０４、モジュール２８０２、２８０４、およびコンピュータ可読媒体２９０６によって表される１つまたは複数のプロセッサおよび／またはハードウェアモジュールを含む様々な回路を互いに接続する。バス２９２４は、タイミングソース、周辺装置、電圧調整器、および電源管理回路などの様々なその他の回路も接続することができるが、それらは当分野でよく知られており、したがってこれ以上説明しない。
【０１００】
処理システム２９１４は、送受信機２９１０に接続され得る。送受信機２９１０は、１つまたは複数のアンテナ２９２０に接続される。送受信機２９１０は、伝送媒体によって様々なその他の装置と通信する手段を提供する。処理システム２９１４は、コンピュータ可読媒体２９０６に接続されたプロセッサ２９０４を含む。プロセッサ２９０４は、コンピュータ可読媒体２９０６に記憶されたソフトウェアの実行を含む一般的な処理を行う役割を果たす。ソフトウェアは、プロセッサ２９０４によって実行されると、処理システム２９１４に特定の装置に関して上記に説明した様々な機能を行わせる。コンピュータ可読媒体２９０６は、ソフトウェアを実行する場合にプロセッサ２９０４によって操作されるデータを記憶するためにも使用され得る。処理システムは、モジュール２８０２、２８０４のうちの少なくとも１つをさらに含む。モジュールは、プロセッサ２９０４で実行され、コンピュータ可読媒体２９０６に常駐する／記憶されるソフトウェアモジュール、プロセッサ２９０４に接続された１つまたは複数のハードウェアモジュール、またはそれらの何らかの組合せであることができる。処理システム２９１４は、ＵＥ６５０の構成要素であることができ、メモリ６６０および／またはＴＸプロセッサ６６８、ＲＸプロセッサ６５６、およびコントローラ／プロセッサ６５９のうちの少なくとも１つを含むことができる。
【０１０１】
１つの構成では、ワイヤレス通信のための装置１０４／１０４’は、セルと接続した状態にある間にネットワークエンティティにＴＡＵ要求を送信するための手段を含む。ＴＡＵ要求は、セルと通信するための性能が更新される必要があることを示す。装置は、ＴＡＵ受容メッセージをネットワークエンティティから受信するための手段をさらに含む。装置は、ネットワークエンティティに関連する基地局からのＲＲＣ接続解放メッセージを受信してアイドル状態に移行する手段をさらに含む。
【０１０２】
前述の手段は、装置１０４の前述のモジュールのうちの１つまたは複数、および／または前述の手段によって提唱された機能を行うように構成された装置１０４’の処理システム２９１４であることができる。上記に説明されたように、処理システム２９１４は、ＴＸプロセッサ６６８と、ＲＸプロセッサ６５６と、コントローラ／プロセッサ６５９とを含むことができる。したがって、１つの構成では、前述の手段は、前述の手段によって提唱された機能を行うように構成されたＴＸプロセッサ６６８、ＲＸプロセッサ６５６、およびコントローラ／プロセッサ６５９であることができる。
【０１０３】
図３０は、例としてのネットワークエンティティ（たとえばＭＭＥ）装置１０５における異なるモジュール／手段／構成要素の間のデータフローを示す概念データフロー図３０００である。ネットワークエンティティは、ＵＥ３０３０がセルと接続した状態にある間に、ＵＥ３０３０からＴＡＵ要求を受信する（３０１４）ように構成されたＴＡＵ要求受信モジュール３００２を含む。ＴＡＵ要求は、セルと通信するための性能が更新される必要があることを示す。ネットワークエンティティは、ＴＡＵ受容メッセージをＵＥ３０３０に送信する（３０１６）ように構成されたＴＡＵ受容メッセージ送信モジュール３００４をさらに含む。ネットワークエンティティは、ＴＡＵ受容メッセージを送信すると、またＴＡＵ要求に応答して、ＵＥ３０３０に対する接続を解放するためにＵＥコンテキスト解放メッセージのうちの１つをセルを制御する基地局３０４０に送信し、または性能が更新される必要があることを示すメッセージをセルを制御する基地局（３０４０）に送信する（３０１８）ように構成された送信モジュール３００６をさらに含む。送信モジュール３００６は、ＵＥ３０３０が音声通話中でなくなるまでＲＲＣ接続解放メッセージの送信を遅らせるように構成され得る。
【０１０４】
装置は、図２１の前述の流れ図でのアルゴリズムの各ステップを行うさらなるモジュールを含み得る。したがって、図２１の流れ図の各ステップは、モジュールによって行われてもよく、装置はそれらのモジュールのうちの１つまたは複数を含んでもよい。モジュールは、上記のプロセス／アルゴリズムを行うように構成されたプロセッサによって実行される、プロセッサによって実施するためのコンピュータ可読媒体内に記憶された、またはそれらの何らかの組合せの、上記のプロセス／アルゴリズムを実施するように特に構成された１つまたは複数のハードウェア構成要素であることができる。
【０１０５】
図３１は、処理システム３１１４を利用する装置１０５’に関するハードウェア実装形態の一例を示す図３１００である。処理システム３１１４は、バス３１２４によって全体的に表されるバスアーキテクチャによって実行され得る。バス３１２４は、処理システム３１１４の具体的な用途および全体的な設計上の制約に応じて、任意の数の相互接続するバスおよびブリッジを含み得る。バス３１２４は、プロセッサ３１０４、モジュール３００２、３００４、３００６．およびコンピュータ可読媒体３１０６によって表される１つまたは複数のプロセッサおよび／またはハードウェアモジュールを含む様々な回路を互いに接続する。バス３１２４は、タイミングソース、周辺装置、電圧調整器、および電源管理回路などの様々なその他の回路も接続することができるが、それらは当分野で知られており、したがってこれ以上説明しない。
【０１０６】
処理システム３１１４は、送受信機３１１０に接続され得る。送受信機３１１０は、１つまたは複数のアンテナ３１２０に接続される。送受信機３１１０は、伝送媒体によって様々なその他の装置と通信する手段を提供する。処理システム３１１４は、コンピュータ可読媒体３１０６に接続されたプロセッサ３１０４を含む。プロセッサ３１０４は、３１０６に記憶されたソフトウェアの実行を含む一般的な処理を行う役割を果たす。ソフトウェアは、プロセッサ３１０４によって実行されると、処理システム３１１４に特定の装置に関して上記に説明した様々な機能を行わせる。コンピュータ可読媒体３１０６は、ソフトウェアを実行する場合にプロセッサ３１０４によって操作されるデータを記憶するためにも用いられ得る。処理システムは、モジュール３００２、３００４、および３００６のうちの少なくとも１つをさらに含む。モジュールは、プロセッサ３１０４で実行され、コンピュータ可読媒体３１０６に常駐する／記憶されるソフトウェアモジュール、プロセッサ３１０４に接続された１つまたは複数のハードウェアモジュール、またはそれらの何らかの組合せであることができる。
【０１０７】
１つの構成では、ワイヤレス通信のための装置１０５／１０５’は、ＵＥがセルと接続した状態にある間に、ＵＥからＴＡＵ要求を受信するための手段を含む。ＴＡＵ要求は、セルと通信するための性能が更新される必要があることを示す。装置は、ＴＡＵ受容メッセージをＵＥに送信するための手段をさらに含む。装置は、ＴＡＵ受容メッセージを送信すると、およびＴＡＵ要求に応答して、ＵＥに対する接続を解放するためにＵＥコンテキスト解放メッセージのうちの１つをセルを制御する基地局に送信し、または性能が更新される必要があることを示すメッセージをセルを制御する基地局に送信するための手段をさらに含む。装置は、ＵＥが音声通話中でなくなるまでＲＲＣ接続解放メッセージの送信を遅らせるための手段をさらに含むことができる。前述の手段は、装置１０５の前述のモジュールのうちの１つまたは複数、および／または前述の手段によって提唱された機能を行うように構成された装置１０５’の処理システム３１１４であることができる。
【０１０８】
開示されたプロセスでのステップの特定の順番または階層は、例としての手法を示したものであることを理解されたい。設計の選好に基づいて、プロセスでのステップの特定の順番および階層が再配置され得ることを理解されたい。さらに、いくつかのステップは結合または省略され得る。添付の方法の特許請求の範囲は、例としての順番で様々なステップの要素を表すものであり、表された特定の順番または階層に限定されることを意図するものではない。
【０１０９】
上記の説明は、当業者ならだれでも本明細書に記載された様々な態様を実施することができるように提供されたものである。それらの態様への様々な変更が当業者には容易に明らかになるが、本明細書に定義された一般的な原理はその他の態様に適用することが可能である。したがって、特許請求の範囲は、本明細書に示された態様に限定されることは意図されず、言語の特許請求の範囲と整合する最大限の範囲を与えられるべきであり、単数での要素への参照は、特にそのように明示されない限り「唯一」を意味することは意図されず、「１つまたは複数」を意味することが意図される。特に具体的に明示されない限り、「いくつかの（some）」という用語は１つまたは複数を指す。当分野の技術者に認識され、または後で認識される、本開示全体を通じて説明された様々な態様の要素のすべての構造的および機能的な等価物は、参照によって本明細書に明確に組み込まれ、特許請求の範囲によって包含されることを意図される。さらに、本明細書に開示されたものは、そのような開示が特許請求の範囲に明白に記載されているかどうかにかかわらず、公に提供されることをまったく意図していない。特許請求の要素は、その要素が「の手段（ｍｅａｎｓ  ｆｏｒ）」という言い回しを使用して明白に記載されない限り、ミーンズプラスファンクションとして解釈されるべきではない。
【図１】
2014534745.tif 000010
【図２】
2014534745.tif 000011
【図３】
2014534745.tif 000012
【図４】
2014534745.tif 000013
【図５】
2014534745.tif 000014
【図６】
2014534745.tif 000015
【図７】
2014534745.tif 000016
【図８】
2014534745.tif 000017
【図９】
2014534745.tif 000018
【図１０】
2014534745.tif 000019
【図１１】
2014534745.tif 000020
【図１２】
2014534745.tif 000021
【図１３】
2014534745.tif 000022
【図１４】
2014534745.tif 000023
【図１５】
2014534745.tif 000024
【図１６】
2014534745.tif 000025
【図１７】
2014534745.tif 000026
【図１８】
2014534745.tif 000027
【図１９】
2014534745.tif 000028
【図２０】
2014534745.tif 000029
【図２１】
2014534745.tif 000030
【図２２】
2014534745.tif 000031
【図２３】
2014534745.tif 000032
【図２４】
2014534745.tif 000033
【図２５】
2014534745.tif 000034
【図２６】
2014534745.tif 000035
【図２７】
2014534745.tif 000036
【図２８】
2014534745.tif 000037
【図２９】
2014534745.tif 000038
【図３０】
2014534745.tif 000039
【図３１】
2014534745.tif 000040
【国際調査報告】
2014534745.tif 000041
2014534745.tif 000042